(57)【特許請求の範囲】
【請求項１】
制御領域のサイズの表示を容易にする方法において、該方法は、
第１のキャリア及び第２のキャリアにより容易にされるマルチキャリア通信を確立することと、
前記第１のキャリアに関連する第１の制御領域サイズ及び前記第２のキャリアに関連する第２の制御領域サイズを確認することと、
制御信号を生成することと、ここで、該生成することは、前記第２の制御領域サイズに基づいて前記制御信号のアスペクトをスクランブリングすることと、前記第２の制御領域サイズを前記第１の制御領域サイズと関連付けることのうちの少なくとも一つを含む、
少なくとも一つのユーザ装置のために前記第２のキャリアの上の前記マルチキャリア通信をサポートするために、前記第１のキャリアの上で前記制御信号を送信することを含み、
前記制御信号のアスペクトは、巡回冗長検査である、
方法。
【請求項２】
前記第２の制御領域サイズを前記第１のキャリアの上へ符号化することを更に含む請求項１の方法。
【請求項３】
前記送信することは、前記第２の制御領域サイズを第１のキャリアの上へ符号化するために、未使用の資源エレメント・グループを割り当てることを含み、
前記未使用の資源エレメント・グループは、資源エレメント・グループのシーケンスに含まれ、且つ、使用済みの資源エレメント・グループの後に存在する請求項２の方法。
【請求項４】
前記使用済みの資源エレメント・グループは、前記第１のキャリアに割り当てられ、
前記使用済みの資源エレメント・グループは、物理制御フォーマット表示チャネル、物理ハイブリッド自動再送リクエスト表示チャネル又は物理ダウンリンク制御チャネルのうちの少なくとも一つに関連する請求項３の方法。
【請求項５】
前記送信することは、前記第２の制御領域サイズを前記第１のキャリアの上へ符号化するための資源を割り当てることを含み、
前記資源は、制御チャネル・エレメントのシーケンスにおける制御チャネル・エレメントの最後のセットのうちの少なくとも一つであり、
前記制御チャネル・エレメントの最後のセットは、物理ダウンリンク制御チャネルに関連する請求項２の方法。
【請求項６】
前記送信することは、前記第２の制御領域サイズを前記第１のキャリアの上へ符号化するための資源を割り当てることを含み、
前記資源は、物理ハイブリッド自動再送リクエスト表示チャネルに関連する請求項２の方法。
【請求項７】
前記送信することは、前記第１のキャリアのデータ領域において前記第２の制御領域サイズを伝達することを含み、
前記伝達することは、予め定められたパターンに従って、クロスキャリア通信の間に、起こり、
物理ダウンリンク制御チャネル伝送は、前記第１のキャリアの上で送信され、物理ダウンリンク共有チャネル伝送は、前記第２のキャリアの上で送信される請求項２の方法。
【請求項８】
前記第１のキャリアの前記データ領域を使用して、前記物理ダウンリンク共有チャネル伝送をパンクチャーリングすることを更に含む請求項７の方法。
【請求項９】
前記第１のキャリアの前記データ領域を使用して、前記物理ダウンリンク共有チャネル伝送をレート・マッチングすることを更に含む請求項７の方法。
【請求項１０】
前記関連付けることは、前記第１の制御領域サイズがクロスキャリア通信の間において前記第２の制御領域サイズと等しいと仮定するように、前記少なくとも一つのユーザ装置を設定することを含み、
物理ダウンリンク制御チャネル伝送は、前記第１のキャリアの上で送信され、物理ダウンリンク共有チャネル伝送は、前記第２のキャリアの上で送信される請求項１の方法。
【請求項１１】
制御領域のサイズの表示を容易にするように構成される装置において、該装置は、
メモリに記憶されたコンピュータ実行可能なコンポーネントを実行するように構成されるプロセッサを含み、該コンポーネントは、
マルチキャリア通信を介して制御信号を通信するように構成される通信コンポーネントと、ここで、該制御信号は、少なくとも一つのユーザ装置のために第２のキャリアの上で該マルチキャリア通信をサポートするために、第１のキャリアの上で送信される、
前記第１のキャリアに関連する第１の制御領域サイズ及び前記第２のキャリアに関連する第２の制御領域サイズを確認するように構成される制御フォーマット・コンポーネントと、
前記第２の制御領域サイズに基づいて前記制御信号のアスペクトをスクランブリングすることと、前記第２の制御領域サイズを前記第１の制御領域サイズと関連付けることのうちの少なくとも一つを実行することによって、前記制御信号を生成するように構成される生成コンポーネントとを含み、
前記制御信号のアスペクトは、巡回冗長検査である、
装置。
【請求項１２】
前記生成コンポーネントは、前記第２のキャリア上の汎用の物理制御フォーマット表示チャネル値を提供するように更に構成される請求項１１の装置。
【請求項１３】
物理制御フォーマット表示チャネル値のクロスキャリア数は、物理制御フォーマット表示チャネル値の同一キャリア数とは異なる請求項１２の装置。
【請求項１４】
前記生成コンポーネントは、前記第２の制御領域サイズを前記第１のキャリアの上へ符号化するように構成される請求項１１の装置。
【請求項１５】
前記第２の制御領域サイズを前記第１のキャリアの上へ符号化するための資源を割り当てるように構成される割り当てコンポーネントを更に含む請求項１４の装置。
【請求項１６】
前記資源は、資源エレメント・グループのシーケンスにおける未使用の資源エレメントであり、
前記未使用の資源エレメント・グループは、使用済みの資源エレメント・グループの後に存在する請求項１５の装置。
【請求項１７】
前記割り当てコンポーネントは、前記使用済みの資源エレメント・グループを前記第１のキャリアに割り当てるように構成され、
前記使用済みの資源エレメント・グループは、物理制御フォーマット表示チャネル、物理ハイブリッド自動再送リクエスト表示チャネル又は物理ダウンリンク制御チャネルのうちの少なくとも一つに関連する請求項１６の装置。
【請求項１８】
前記資源は、制御チャネル・エレメントのシーケンスにおける制御チャネル・エレメントの最後のセットのうちの少なくとも一つであり、
前記制御チャネル・エレメントの最後のセットは、物理ダウンリンク制御チャネルに関連する請求項１５の装置。
【請求項１９】
前記資源は、物理ハイブリッド自動再送リクエスト表示チャネルに関連する請求項１５の装置。
【請求項２０】
前記生成コンポーネントは、予め定められたパターンに従って、クロスキャリア通信の間に、前記第１のキャリアのデータ領域において前記第２の制御領域サイズを伝達するように構成され、
前記通信コンポーネントは、前記第１のキャリアの上で物理ダウンリンク制御チャネル伝送を送信するように構成され、また、前記通信コンポーネントは、前記第２のキャリアの上で物理ダウンリンク共有チャネル伝送を送信するように構成される請求項１４の装置。
【請求項２１】
前記生成コンポーネントは、前記第１のキャリアの前記データ領域を使用して、前記物理ダウンリンク共有チャネル伝送をパンクチャーリングするように、又は、前記第１のキャリアの前記データ領域を使用して、前記物理ダウンリンク共有チャネル伝送をレート・マッチングするように構成される請求項２０の装置。
【請求項２２】
前記生成コンポーネントは、前記第１の制御領域サイズがクロスキャリア通信の間において前記第２の制御領域サイズと等しいと仮定するように、前記少なくとも一つのユーザ装置を設定することによって、前記関連付けを実行するように構成され、
前記通信コンポーネントは、前記第１のキャリアの上で物理ダウンリンク制御チャネル伝送を送信するように構成され、また、前記通信コンポーネントは、前記第２のキャリアの上で物理ダウンリンク共有チャネル伝送を送信するように構成される請求項１１の装置。
【請求項２３】
制御領域のサイズの表示を容易にするコンピュータ・プログラムにおいて、前記コンピュータ・プログラムは、
少なくとも一つのコンピュータに、
第１のキャリア及び第２のキャリアにより容易にされるマルチキャリア通信を確立させ、
前記第１のキャリアに関係する第１の制御領域サイズ及び前記第２のキャリアに関係する第２の制御領域サイズを判定させ、
前記第２の制御領域サイズに基づいて前記制御信号のアスペクトをスクランブリングすることと、前記第２の制御領域サイズを前記第１の制御領域サイズと関連付けることのうちの少なくとも一つを実行することによって、制御信号を提供させ、
少なくとも一つのユーザ装置のために前記第２のキャリアの上の前記マルチキャリア通信をサポートするために、前記第１のキャリアの上で前記制御信号を通信させるためのコードを含み、
前記制御信号のアスペクトは、巡回冗長検査である、
コンピュータ・プログラム。
【請求項２４】
前記コードは、更に、前記少なくとも一つのコンピュータに、前記第２の制御領域サイズを前記第１のキャリアの上へ符号化させる請求項２３のコンピュータ・プログラム。
【請求項２５】
前記コードは、更に、前記少なくとも一つのコンピュータに、前記第２の制御領域サイズを前記第１のキャリアの上へ符号化するための資源を割り当てさせる請求項２４のコンピュータ・プログラム。
【請求項２６】
前記資源は、資源エレメント・グループのシーケンスにおける未使用の資源エレメントであり、
前記未使用の資源エレメント・グループは、使用済みの資源エレメント・グループの後に存在する請求項２５のコンピュータ・プログラム。
【請求項２７】
前記コードは、更に、前記少なくとも一つのコンピュータに、前記使用済みの資源エレメント・グループを前記第１のキャリアに割り当させ、
前記使用済みの資源エレメント・グループは、物理制御フォーマット表示チャネル、物理ハイブリッド自動再送リクエスト表示チャネル又は物理ダウンリンク制御チャネルのうちの少なくとも一つに関連する請求項２６のコンピュータ・プログラム。
【請求項２８】
前記資源は、制御チャネル・エレメントのシーケンスにおける制御チャネル・エレメントの最後のセットのうちの少なくとも一つであり、
前記制御チャネル・エレメントの最後のセットは、物理ダウンリンク制御チャネルに関連する請求項２５のコンピュータ・プログラム。
【請求項２９】
前記資源は、物理ハイブリッド自動再送リクエスト表示チャネルに関連する請求項２５のコンピュータ・プログラム。
【請求項３０】
制御領域のサイズの表示を容易にするように構成される装置において、該装置は、
マルチキャリア通信を介して制御信号を送信するための手段と、ここで、該制御信号は、少なくとも一つのユーザ装置のために第２のキャリアの上で該マルチキャリア通信をサポートするために、第１のキャリアの上で送信される、
前記第１のキャリアに関連する第１の制御領域サイズ及び前記第２のキャリアに関連する第２の制御領域サイズを判定するための手段と、
前記第２の制御領域サイズに基づいて前記制御信号のアスペクトをスクランブリングすることと、前記第２の制御領域サイズを前記第１の制御領域サイズと関連付けることのうちの少なくとも一つを実行することによって、前記制御信号を生成するための手段とを含み、
前記制御信号のアスペクトは、巡回冗長検査である、
装置。
【請求項３１】
前記制御信号を生成するための手段は、前記第１の制御領域サイズがクロスキャリア通信の間において前記第２の制御領域サイズと等しいと仮定するように、前記少なくとも一つのユーザ装置を設定することによって、前記関連付けを実行するように構成され、
前記送信するための手段は、前記第１のキャリアの上で物理ダウンリンク制御チャネル伝送を送信するように構成され、また、前記送信するための手段は、前記第２のキャリアの上で物理ダウンリンク共有チャネル伝送を送信するように構成される請求項３０の装置。
【請求項３２】
制御領域のサイズの判定を容易にする方法において、該方法は、
第１のキャリア及び第２のキャリアを監視するようにユーザ装置（ＵＥ）を設定することと、
第１の制御領域サイズを有する前記第１のキャリア及び第２の制御領域サイズを有する前記第２のキャリアを介して制御信号を受信することと、
前記第１の制御領域サイズ及び前記第２の制御領域サイズを確認することを含み、
前記確認することは、前記制御信号のアスペクトをデスクランブリングすること又は前記第２の制御領域サイズを前記第１の制御領域サイズと関連付けることのうちの少なくとも一つを含み、
前記制御信号のアスペクトは、巡回冗長検査である、
方法。
【請求項３３】
前記第１のキャリアから前記第２の制御領域サイズを復号化することを更に含む請求項３２の方法。
【請求項３４】
前記関連付けることは、前記第１の制御領域サイズがクロスキャリア通信の間において前記第２の制御領域サイズと等しいと仮定することを含み、
物理ダウンリンク制御チャネルは、前記第１のキャリアを介して受信され、物理ダウンリンク共有チャネルは、前記第２のキャリアを介して受信される請求項３２の方法。
【請求項３５】
制御領域のサイズの判定を容易にするように構成される装置において、該装置は、
メモリに記憶されたコンピュータ実行可能なコンポーネントを実行するように構成されるプロセッサを含み、該コンポーネントは、
第１のキャリア及び第２のキャリアを監視するようにユーザ装置（ＵＥ）に指示するように構成される設定コンポーネントと、
第１の制御領域サイズを有する前記第１のキャリア及び第２の制御領域サイズを有する前記第２のキャリアを介して制御信号を受信するように構成される通信コンポーネントと、
前記制御信号のアスペクトをデスクランブリングすること又は前記第２の制御領域サイズを前記第１の制御領域サイズと関連付けることのうちの少なくとも一つを実行することによって、前記第１の制御領域サイズ及び前記第２の制御領域サイズを判定するように構成される復号化コンポーネントとを含み、
前記制御信号のアスペクトは、巡回冗長検査である、
装置。
【請求項３６】
前記復号化コンポーネントは、前記第１のキャリアから前記第２の制御領域サイズを復号化するように構成される請求項３５の装置。
【請求項３７】
前記復号化コンポーネントは、前記第１の制御領域サイズがクロスキャリア通信の間において前記第２の制御領域サイズと等しいと仮定するように構成され、
物理ダウンリンク制御チャネルは、前記第１のキャリアを介して受信され、物理ダウンリンク共有チャネルは、前記第２のキャリアを介して受信される請求項３５の装置。
【請求項３８】
制御領域のサイズの判定を容易にするコンピュータ・プログラムにおいて、前記コンピュータ・プログラムは、
少なくとも一つのコンピュータに、
第１のキャリア及び第２のキャリアを監視するようにユーザ装置（ＵＥ）を設定させ、
第１の制御領域サイズを有する前記第１のキャリア及び第２の制御領域サイズを有する前記第２のキャリアを介して制御信号を受信させ、
前記制御信号のアスペクトをデスクランブリングすること又は前記第２の制御領域サイズを前記第１の制御領域サイズと関連付けることのうちの少なくとも一つを実行することによって、前記第１の制御領域サイズ及び前記第２の制御領域サイズを判定するように構成させるためのコードを含み、
前記制御信号のアスペクトは、巡回冗長検査である、
コンピュータ・プログラム。
【請求項３９】
前記コードは、更に、前記少なくとも一つのコンピュータに、前記第１の制御領域サイズがクロスキャリア通信の間において前記第２の制御領域サイズと等しいと仮定させ、
物理ダウンリンク制御チャネルは、前記第１のキャリアを介して受信され、物理ダウンリンク共有チャネルは、前記第２のキャリアを介して受信される請求項３８のコンピュータ・プログラム。
【請求項４０】
制御領域のサイズの判定を容易にするように構成される装置において、該装置は、
第１のキャリア及び第２のキャリアを監視するようにユーザ装置（ＵＥ）を初期化するための手段と、
第１の制御領域サイズを有する前記第１のキャリア及び第２の制御領域サイズを有する前記第２のキャリアを介して制御信号を受信するための手段と、
前記第１の制御領域サイズ及び前記第２の制御領域サイズを確認するための手段とを含み、該確認することは、前記制御信号のアスペクトをデスクランブリングすること又は前記第２の制御領域サイズを前記第１の制御領域サイズと関連付けることのうちの少なくとも一つを含み、
前記制御信号のアスペクトは、巡回冗長検査である、
装置。
【請求項４１】
前記第１のキャリアから前記第２の制御領域サイズを復号化するための手段を更に含む請求項４０の装置。
【発明の詳細な説明】
【技術分野】
【０００１】
（関連出願の相互参照）
この出願は、２００９年５月７日付け提出された「A Method and Apparatus for Reliable PCFICH Transmission and Detection of Cross-Carrier PDCCH Signaling」と題された米国仮出願第６１／１７６，４６５号の優先権を主張する。当該出願は、参照によってその全体が本明細書に組み込まれる。
【０００２】
（技術分野）
以下の説明は、一般に無線通信に関し、より詳しくは信頼できる制御領域サイズの送信及びクロスキャリア・シグナリングの検出を容易にするための方法及び装置に関する。
【背景技術】
【０００３】
様々なタイプの通信コンテンツ（例えば、ボイス、データなど）を提供するために無線通信システムが広く配備される。これらのシステムは、利用可能なシステム資源（例えば、バンド幅及び送信電力）を共有することによって複数のユーザとの通信をサポートすることができる多元接続システムであり得る。そのようなマルチアクセス・システムの例は、符号分割多元接続（ＣＤＭＡ）システム、時分割多元接続（ＴＤＭＡ）システム、周波数分割多元接続（ＦＤＭＡ）システム、３ＧＰＰロングタームエボリューション（ＬＴＥ）システム及び直交周波数分割多元接続（ＯＦＤＭＡ）システムを含む。
【０００４】
通常、無線多元接続通信システムは、複数の無線端末のための通信を同時にサポートすることができる。各々の端末は、順方向及び逆方向リンク上での伝送を介して１又は複数の基地局と通信する。順方向リンク（又はダウンリンク）は基地局から端末への通信リンクを指し、逆方向リンク（又はアップリンク）は端末から基地局への通信リンクを指す。この通信リンクは、単一入力単一出力、多重入力単一出力又は多重入力多重出力（ＭＩＭＯ）システムを介して確立され得る。
【０００５】
ＭＩＭＯシステムは、データ伝送のために複数の（ＮＴ個の）送信アンテナ及び複数の（ＮＲ個の）受信アンテナを使用する。ＮＴ個の送信アンテナ及びＮＲ個の受信アンテナにより形成されるＭＩＭＯチャネルは、ＮＳ個の独立したチャネル（それは空間チャネルとも呼ばれる）に分解され得る。ここで、ＮＳ≦ｍｉｎ｛ＮＴ，ＮＲ｝である。ＮＳ個の独立したチャネルの各々は、次元に対応する。複数の送信及び受信アンテナにより作成される更なる次元が利用される場合、ＭＩＭＯシステムは、向上されたパフォーマンス（例えば、より高いスループット及び／又はより大きな信頼性）を提供することができる。
【０００６】
ＭＩＭＯシステムは、時分割双方向（ＴＤＤ）及び周波数分割双方向（ＦＤＤ）システムをサポートする。ＴＤＤシステムにおいて、順方向及び逆方向リンク伝送は、相互関係原則が逆方向リンク・チャネルから順方向リンク・チャネルを推定することを可能にするように、同一の周波数領域上にある。これは、アクセスポイントにおいて複数のアンテナが利用できるときに、アクセスポイントが順方向リンク上の送信ビームフォーミング利得（transmit beamforming gain）を抽出するのを可能にする。
【０００７】
ＬＴＥアドバンスト（LTE-Advanced）（ＬＴＥ−Ａ）システムに関して、各々のユーザ装置（ＵＥ）は無線資源制御（ＲＲＣ）を介して複数のコンポーネント・キャリアを監視するように構成され得る点に留意される。そのような構成（configurations）について、オーバーヘッド、効率、信頼性、ロバストネス、複雑さ、その他を考慮することによって、マルチキャリア・オペレーションのための制御をデザインすることは望ましい。クロスキャリア物理ダウンリンク制御チャネル（cross-carrier Physical Downlink Control Channel）（ＰＤＣＣＨ）シグナリングの場合は、ＰＤＣＣＨは一般的にいわゆるアンカー・キャリア（anchor carrier）から送信される。現在のところ、しかし、物理制御フォーマット表示チャネル（Physical Control Format Indicator Channel）（ＰＣＦＩＣＨ）検出の信頼性、及び、物理ダウンリンク共有チャネル（Physical Downlink Shared Channel）（ＰＤＳＣＨ）復号化が間違った（wrong）ＰＣＦＩＣＨに基づく場合に結果として生じるパフォーマンス・ロスに対する懸念（concerns）が、非アンカー・キャリア（non-anchor carriers）に存在する。例えば、これは、（１又は複数の）非アンカー・キャリアが高く干渉され得る異機種間接続ネットワーク（heterogeneous networks）において生じ得る。
【０００８】
上記の現在の無線通信システムの不備（deficiencies）は、単に従来のシステムの問題の幾つかの概要を提供することを意図されており、網羅的（exhaustive）であることを意図されていない。従来のシステムに関連する他の問題及び本明細書で説明される様々な非制限的な実施形態の対応する利点は、以下の説明のレビューの上で更に明らかになり得る。
【発明の概要】
【０００９】
以下は、そのような実施形態の基本的な理解を提供するために、１又は複数の実施形態の簡略化された概要を示す。この概要は、すべての予期される実施形態の外延的な概要であるというわけではなく、また、すべての実施形態の鍵となる又は重要な要素を識別することも、一部又は全部の実施形態の範囲を線引きすることも、いずれも意図されていない。その唯一の目的は、後で示されるより詳しい説明への前置きとして１又は複数の実施形態の幾つかの概念を簡略化された形で提示することである。
【００１０】
１又は複数の実施形態及びその対応する開示に従って、無線端末のロケーティング（locating）に関連して様々な態様が説明される。一つの態様において、制御領域のサイズの表示を容易にする方法及びコンピュータ・プログラム製品が開示される。これらの実施形態は、第１のキャリア及び第２のキャリアにより容易にされるマルチキャリア通信を確立することを含む。そして、第１の制御領域サイズ及び第２の制御領域サイズが確認される。これらの実施形態について、上記第１の制御領域サイズは上記第１のキャリアに関連し、一方、上記第２の制御領域サイズは上記第２のキャリアに関連する。そして、制御信号が、上記第２の制御領域サイズに基づいて該制御信号のアスペクトをスクランブリングすること又は上記第２の制御領域サイズを上記第１の制御領域サイズと関連付けることのいずれかによって、生成される。そして、上記制御信号は、少なくとも一つのユーザ装置のために上記第２のキャリアの上の上記マルチキャリア通信をサポートするために、上記第１のキャリアの上で送信される。
【００１１】
他の態様において、制御領域のサイズの表示を容易にするように構成される装置が開示される。そのような実施形態の中で、該装置は、メモリに記憶されたコンピュータ実行可能なコンポーネントを実行するように構成されるプロセッサを含む。上記コンピュータ実行可能なコンポーネントは、通信コンポーネント、制御フォーマット・コンポーネント及び生成コンポーネントを含む。上記通信コンポーネントは、マルチキャリア通信を確立するように構成される。ここで、制御信号は、上記マルチキャリア通信を介して通信される。この実施形態について、該制御信号は、少なくとも一つのユーザ装置のために第２のキャリアの上で該マルチキャリア通信をサポートするために、第１のキャリアの上で送信される。そして、上記制御フォーマット・コンポーネントは、第１の制御領域サイズ及び第２の制御領域サイズを確認する。ここで、上記第１の制御領域サイズは上記第１のキャリアに関連し、上記第２の制御領域サイズは上記第２のキャリアに関連する。そして、上記生成コンポーネントは、上記第２の制御領域サイズに基づいて上記制御信号のアスペクトをスクランブリングすることと、上記第２の制御領域サイズを上記第１の制御領域サイズと関連付けることのうちの少なくとも一つを実行することによって、上記制御信号を生成するように構成される。
【００１２】
更なる態様において、他の装置が開示される。そのような実施形態の中で、該装置は、送信するための手段、判定するための手段及び生成するための手段を含む。この実施形態について、上記送信するための手段は、マルチキャリア通信を介して制御信号を送信する。ここで、該制御信号は、少なくとも一つのユーザ装置のために第２のキャリアの上で該マルチキャリア通信をサポートするために、第１のキャリアの上で送信される。上記判定するための手段は、第１の制御領域サイズ及び第２の制御領域サイズを判定する。ここで、上記第１の制御領域サイズは上記第１のキャリアに関連し、上記第２の制御領域サイズは上記第２のキャリアに関連する。そして、上記生成するための手段は、上記第２の制御領域サイズに基づいて上記制御信号のアスペクトをスクランブリングすることと、上記第２の制御領域サイズを上記第１の制御領域サイズと関連付けることのうちの少なくとも一つを実行することによって、上記制御信号を生成する。
【００１３】
他の態様において、制御領域のサイズを表示するための他の方法及びコンピュータ・プログラム製品が開示される。これらの実施形態について、第１のキャリア及び第２のキャリアにより容易にされる少なくとも一つのユーザ装置とのマルチキャリア通信が確立される。そして、リバース・インターリーバが、変調シンボルのセットをリバース・インターリーブするように実装される。そのような実施形態の中で、該リバース・インターリーバは、変調シンボルのセットを、最後のデータシンボルから始まり且つ最初の利用可能なデータシンボルで終わるようにマッピングする。そして、該変調シンボルのセットは、上記少なくとも一つのユーザ装置へ送信される。
【００１４】
制御領域のサイズを表示する他の装置がまた開示される。そのような実施形態の中で、該装置は、メモリに記憶されたコンピュータ実行可能なコンポーネントを実行するように構成されるプロセッサを含む。上記コンピュータ実行可能なコンポーネントは、リバース・インターリーバ・コンポーネント及び通信コンポーネントを含む。上記リバース・インターリーバ・コンポーネントは、変調シンボルのセットを、最後のデータシンボルから始まり且つ最初の利用可能なデータシンボルで終わるようにマッピングするように構成され、一方、上記通信コンポーネントは、マルチキャリア通信を介して、上記変調シンボルのセットを少なくとも一つのユーザ装置へ送信するように構成される。そのような実施形態の中で、該マルチキャリア通信は、第１のキャリア及び第２のキャリアにより容易にされる。
【００１５】
更なる態様において、他の装置が開示される。そのような実施形態の中で、該装置は、リバース・インターリーブするための手段及び提供するための手段を含む。この実施形態について、上記リバース・インターリーブするための手段は、変調シンボルのセットをリバース・インターリーブする。ここで、該変調シンボルのセットは、最後のデータシンボルから始まり且つ最初の利用可能なデータシンボルで終わるようにマッピングされる。一方、上記提供するための手段は、マルチキャリア通信を介して、上記変調シンボルのセットを少なくとも一つのユーザ装置へ提供する。この実施形態について、該マルチキャリア通信はまた、第１のキャリア及び第２のキャリアにより容易にされる。
【００１６】
他の態様において、制御領域のサイズの判定を容易にするための方法及びコンピュータ・プログラム製品が開示される。そのような実施形態は、一連のアクト及び／又はインストラクションを含んでも良い。例えば、第１のキャリア及び第２のキャリアを監視するようにユーザ装置を設定するためのアクト／インストラクションが含まれる。そして、上記第１のキャリア及び上記第２のキャリアを介して制御信号が受信される。ここで、上記第１のキャリアは第１の制御領域サイズを有し、上記第２のキャリアは第２の制御領域サイズを有する。これらの実施形態は、上記制御信号のアスペクトをデスクランブリングすること又は上記第２の制御領域サイズを上記第１の制御領域サイズと関連付けることのうちの少なくとも一つを実行することによって、上記第１の制御領域サイズ及び上記第２の制御領域サイズを確認することを更に含む。
【００１７】
制御領域のサイズの判定を容易にするように構成される装置がまた開示される。そのような実施形態の中で、該装置は、メモリに記憶されたコンピュータ実行可能なコンポーネントを実行するように構成されるプロセッサを含む。上記コンピュータ実行可能なコンポーネントは、設定コンポーネント、通信コンポーネント及び復号化コンポーネントを含む。上記設定コンポーネントは、第１のキャリア及び第２のキャリアを監視するようにユーザ装置に指示するように構成される。上記通信コンポーネントは、上記第１のキャリア及び上記第２のキャリアを介して制御信号を受信するように構成される。ここで、上記第１のキャリアは第１の制御領域サイズを有し、上記第２のキャリアは第２の制御領域サイズを有する。そして、上記復号化コンポーネントは、上記制御信号のアスペクトをデスクランブリングすること又は上記第２の制御領域サイズを上記第１の制御領域サイズと関連付けることのうちの少なくとも一つを実行することによって、上記第１の制御領域サイズ及び上記第２の制御領域サイズを判定するように構成される。
【００１８】
更なる態様において、他の装置が開示される。そのような実施形態の中で、該装置は、初期化するための手段、受信するための手段及び確認するための手段を含む。上記初期化するための手段は、第１のキャリア及び第２のキャリアを監視するようにユーザ装置を初期化する。上記受信するための手段は、上記第１のキャリア及び上記第２のキャリアを介して制御信号を受信する。ここで、上記第１のキャリアは第１の制御領域サイズを有し、上記第２のキャリアは第２の制御領域サイズを有する。そして、上記確認するための手段は、上記制御信号のアスペクトをデスクランブリングすること又は上記第２の制御領域サイズを上記第１の制御領域サイズと関連付けることのうちの少なくとも一つを実行することによって、上記第１の制御領域サイズ及び上記第２の制御領域サイズを確認する。特定の実施形態において、該装置は、上記第１のキャリアから上記第２の制御領域サイズを復号化するための手段を更に含む。
【００１９】
さらにもう一つの態様において、制御領域のサイズの判定を容易にするための他の方法及びコンピュータ・プログラム製品が開示される。そのような実施形態の中で、ユーザ装置は、第１のキャリア及び第２のキャリアを監視するように設定される。ここで、上記第１のキャリアは第１の制御領域サイズを有し、上記第２のキャリアは第２の制御領域サイズを有する。そして、リバース・インターリーブされた変調シンボルのセットが受信される。これらの実施形態について、該リバース・インターリーブされた変調シンボルのセットは、最後のデータシンボルから始まり且つ最初の利用可能なデータシンボルで終わるようにマッピングされている。さらにまた、これらの実施形態は、上記リバース・インターリーブされた変調シンボルのセットをデインターリーブすることによって、上記第１の制御領域サイズ及び上記第２の領域サイズを確認することを含む。
【００２０】
制御領域のサイズの判定を容易にする他の装置がまた開示される。そのような実施形態の中で、該装置は、メモリに記憶されたコンピュータ実行可能なコンポーネントを実行するように構成されるプロセッサを含む。上記コンピュータ実行可能なコンポーネントは、設定コンポーネント、通信コンポーネント及び復号化コンポーネントを含む。上記設定コンポーネントは、第１のキャリア及び第２のキャリアを監視するように、ユーザ装置を初期化するように構成される。ここで、上記第１のキャリアは第１の制御領域サイズを有し、上記第２のキャリアは第２の制御領域サイズを有する。上記通信コンポーネントは、リバース・インターリーブされた変調シンボルのセットを受信するように構成される。この実施形態について、該リバース・インターリーブされた変調シンボルのセットは、最後のデータシンボルから始まり且つ最初の利用可能なデータシンボルで終わるようにマッピングされている。そして、上記復号化コンポーネントは、上記リバース・インターリーブされた変調シンボルのセットをデインターリーブすることによって、上記第１の制御領域サイズ及び上記第２の領域サイズを復号化するように構成される。
【００２１】
更なる態様において、さらにもう一つの装置が開示される。そのような実施形態の中で、該装置は、設定するための手段、受信するための手段及びデインターリーブするための手段を含む。この実施形態について、上記構成するための手段は、第１のキャリア及び第２のキャリアを監視するように、ユーザ装置を設定する。ここで、上記第１のキャリアは第１の制御領域サイズを有し、上記第２のキャリアは第２の制御領域サイズを有する。そして、上記受信するための手段は、リバース・インターリーブされた変調シンボルのセットを受信する。ここでは、該リバース・インターリーブされた変調シンボルのセットは、最後のデータシンボルから始まり且つ最初の利用可能なデータシンボルで終わるようにマッピングされている。そして、上記デインターリーブするための手段は、上記第１の制御領域サイズ及び上記第２の領域サイズを確認するために、上記リバース・インターリーブされた変調シンボルのセットをデインターリーブするように構成される。
【００２２】
前述の目的及び関係する目的の達成のために、１又は複数の実施形態は、以下に十分に説明され、特に特許請求の範囲において指摘された特徴を包含する。以下の説明及び添付された図面は、１又は複数の実施形態の幾つかの説明的な態様を説明する。これらの態様は、しかし、様々な実施形態の原理が使用されることのできる様々な方法のうちのほんの数例を示す。また、この説明は、すべてのそのような態様及びそれらの均等物を含むことが意図される。
【図面の簡単な説明】
【００２３】
【図１】図１は、本明細書で説明される様々な態様に従った無線通信システムの説明図である。
【図２】図２は、本明細書で説明される様々なシステム及び方法とともに使用されることができる例示的な無線ネットワーク環境の説明図である。
【図３】図３は、一実施形態に従った信頼できる制御領域サイズの送信及びクロスキャリア・シグナリングの検出を容易にするための例示的なシステムの説明図である。
【図４】図４は、対象となるスペシフィケイション（specification）の態様に従った制御領域サイズの表示を容易にする例示的な基地局のブロック図を示す。
【図５】図５は、制御領域サイズの表示を実現する複数の電気コンポーネントの第１の例示的な結合の説明図である。
【図６】図６は、制御領域サイズの表示を実現する複数の電気コンポーネントの第２の例示的な結合の説明図である。
【図７】図７は、制御領域サイズの表示を実現する複数の電気コンポーネントの第３の例示的な結合の説明図である。
【図８】図８は、対象となるスペシフィケイションの態様に従った制御領域サイズの表示を容易にするための例示的な手順を示すフローチャートである。
【図９】図９は、対象となるスペシフィケイションの態様に従った制御領域サイズの判定を容易にする例示的な無線端末のブロック図を示す。
【図１０】図１０は、制御領域サイズの判定を実現する複数の電気コンポーネントの第１の例示的な結合の説明図である。
【図１１】図１１は、制御領域サイズの判定を実現する複数の電気コンポーネントの第２の例示的な結合の説明図である。
【図１２】図１２は、制御領域サイズの判定を実現する複数の電気コンポーネントの第３の例示的な結合の説明図である。
【図１３】図１３は、対象となるスペシフィケイションの態様に従った制御領域サイズの判定を容易にするための例示的な手順を示すフローチャートである。
【図１４】図１４は、複数のセルを含む様々な態様に従って実装される例示的な通信システムの説明図である。
【図１５】図１５は、本明細書で説明される様々な態様に従った例示的な基地局の説明図である。
【図１６】図１６は、本明細書で説明される様々な態様に従って実装される例示的な無線端末の説明図である。
【詳細な説明】
【００２４】
さて、様々な実施形態が図面を参照して説明される。ここで、全体にわたって同様のエレメントを指し示すために同様の参照番号が使用される。以下の記述では、説明の目的のために、多数の特定の細部が、１又は複数の実施形態の深い理解を与えるために説明される。しかし、そのような（１又は複数の）実施形態がこれら特定の細部なしに実施され得ることは明らかであろう。他のインスタンスにおいて、１又は複数の実施形態の説明を容易にするために、良く知られた構造及びデバイスが、ブロック図の形で示される。
【００２５】
対象となるスペシフィケイションは、信頼できる制御領域サイズの送信及びクロスキャリア・シグナリングの検出を容易にすることに向けられる。前述のように、ＬＴＥ−Ａマルチキャリア・オペレーションのための効率的で信頼できる制御スキームをデザインすることは望ましい。そのために、ＵＥに対してレイヤ２制御情報を符号化するために、少なくとも二つの特定のオプションが考慮（contemplated）される点に留意される。第１のオプションにおいて、一つのＰＤＣＣＨが同一のコンポーネント・キャリア上の割り当てを表示（indicates）するか、又は、一つのＰＤＣＣＨが同一又は異なるコンポーネント・キャリア上の割り当てを表示する場合に（すなわち、クロスキャリアＰＤＣＣＨシグナリング）、コンポーネント・キャリアごとの独立したＰＤＣＣＨが考慮される。第２のオプションにおいて、一つのＵＥに割り当てられた各コンポーネント・キャリアのための情報が一緒に符号化される場合で、且つ、ダウンリンク制御情報（ＤＣＩ）フォーマット・サイズが、割り当てられたコンポーネント・キャリアの数に従って動的に変更されるか、又は、ＤＣＩフォーマット・サイズが、ＵＥが監視しているコンポーネント・キャリアの数に従って半静的に（semi-statically）固定される場合に、共通のＰＤＣＣＨ（a common PDCCH）が考慮される。
【００２６】
前述のように、クロスキャリアＰＤＣＣＨシグナリングの場合は、ＰＤＣＣＨは一般的にいわゆるアンカー・キャリアから送信され、それは、ＰＣＦＩＣＨ検出の信頼性、及び、ＰＤＳＣＨ復号化が間違った（wrong）ＰＣＦＩＣＨに基づく場合に結果として生じるパフォーマンス・ロスに対する懸念（concerns）を引き起こす。これは、例えば、（１又は複数の）非アンカー・キャリアが高く干渉され得る異機種間接続ネットワークにおいて生じ得る。対象となる開示は、ＰＣＦＩＣＨ送信及び検出の信頼性を改善するための新規な技術を提供する。さらに、ＬＴＥ−Ａマルチキャリア・オペレーションのためのクロス・レイヤ・シグナリングの場合に、非アンカー・キャリア上でのＰＤＳＣＨ復号化のためのＰＣＦＩＣＨ検出信頼性を強化する幾つかのデザイン・オプションが開示される。アンカー・キャリアを使用して非アンカー・キャリアのＰＣＦＩＣＨを送信するための幾つかの技術がまた提供される。
【００２７】
本明細書で説明される技術は、例えば符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、高速パケット・アクセス（ＨＳＰＡ）及び他のシステムなどのような、様々な無線通信システムのために使用されることができる。用語“システム”及び“ネットワーク”はしばしば互換的に使用される。ＣＤＭＡシステムは、例えばユニバーサル地上無線アクセス（ＵＴＲＡ）、ＣＤＭＡ２０００などのような無線技術を実装することができる。ＵＴＲＡは、ワイドバンドＣＤＭＡ（Ｗ−ＣＤＭＡ）及びＣＤＭＡの他の変形を含む。ＣＤＭＡ２０００は、ＩＳ−２０００、ＩＳ−９５及びＩＳ−８５６標準をカバーする。ＴＤＭＡシステムは、例えばグローバル移動体通信システム（ＧＳＭ（登録商標））のような無線技術を実装することができる。ＯＦＤＭＡシステムは、例えば発展型ＵＴＲＡ（Evolved UTRA）（Ｅ−ＵＴＲＡ）、ウルトラ・モバイル・ブロードバンド（ＵＭＢ）、ＩＥＥＥ ８０２．１１（Ｗｉ−Ｆｉ）、ＩＥＥＥ ８０２．１６（ＷｉＭＡＸ）、ＩＥＥＥ ８０２．２０、Ｆｌａｓｈ−ＯＦＤＭ（登録商標）などのような無線技術を実装することができる。ＵＴＲＡ及びＥＵＴＲＡは、ユニバーサル移動通信システム（ＵＭＴＳ）の一部である。３ＧＰＰロングタームエボリューション（ＬＴＥ）は、Ｅ−ＵＴＲＡを使用するＵＭＴＳのリリースである。そして、それは、ダウンリンク上でＯＦＤＭＡを使用し、アップリンク上でＳＣ−ＦＤＭＡを使用する。
【００２８】
シングルキャリア周波数分割多元接続（ＳＣ−ＦＤＭＡ）は、シングルキャリア変調及び周波数領域イコライゼイションを利用する。ＳＣ−ＦＤＭＡは、ＯＦＤＭＡシステムと同様のパフォーマンスを有し、また、ＯＦＤＭＡシステムと基本的に同じ全体的な複雑さを有する。ＳＣ−ＦＤＭＡ信号は、その固有のシングルキャリア構造のため、より低いピーク対平均電力比（ＰＡＰＲ）を有する。ＳＣ−ＦＤＭＡは、例えば、より低いＰＡＰＲが送信電力効率に関してアクセス端末のために利益をもたらすアップリンク通信において、使用されることができる。したがって、ＳＣ−ＦＤＭＡは、３ＧＰＰロングタームエボリューション（ＬＴＥ）又は発展型ＵＴＲＡ（Evolved UTRA）におけるアップリンク多元接続スキームとして実装されることができる。
【００２９】
高速パケット・アクセス（ＨＳＰＡ）は、高速ダウンリンク・パケット・アクセス（ＨＳＤＰＡ）技術及び高速アップリンク・パケット・アクセス（ＨＳＵＰＡ）又は強化されたアップリンク（enhanced uplink）（ＥＵＬ）技術を含むことができ、また、ＨＳＰＡ＋技術を含むこともできる。ＨＳＤＰＡ、ＨＳＵＰＡ及びＨＳＰＡ＋は、それぞれ、第３世代パートナーシッププロジェクト（３ＧＰＰ）仕様のリリース５、リリース６及びリリース７の一部である。
【００３０】
高速ダウンリンク・パケット・アクセス（ＨＳＤＰＡ）は、ネットワークからユーザ装置（ＵＥ）へのデータ伝送を最適化する。本明細書で使用されるように、ネットワークからユーザ装置ＵＥへの伝送は、「ダウンリンク」（ＤＬ）と呼ばれることができる。伝送方法は、数Ｍｂｉｔ／ｓのデータレートを可能にすることができる。高速ダウンリンク・パケット・アクセス（ＨＳＤＰＡ）は、モバイル無線ネットワークのキャパシティーを増加させることができる。高速アップリンク・パケット・アクセス（ＨＳＵＰＡ）は、端末からネットワークへのデータ伝送を最適化することができる。本明細書で使用されるように、端末からネットワークへの伝送は、「アップリンク」（ＵＬ）と呼ばれることができる。アップリンク・データ伝送方法は、数Ｍｂｉｔ／ｓのデータレートを可能にすることができる。ＨＳＰＡ＋は、３ＧＰＰ仕様のリリース７の規定によりアップリンク及びダウンリンクの両方における更なる改善さえ提供する。高速パケット・アクセス（ＨＳＰＡ）方法は、一般的に、大量のデータを送信するデータ・サービス（例えば、ボイスオーバーＩＰ（ＶｏＩＰ）、テレビ会議及びモバイル・オフィス・アプリケーション）において、ダウンリンクとアップリンクとの間のより高速なインタラクション（interactions）を可能にする。
【００３１】
例えばハイブリッド自動再送要求（hybrid automatic repeat request）（HARQ）などのような高速データ伝送プロトコルは、アップリンク及びダウンリンクの上で使用されることができる。そのようなプロトコル（例えば、ハイブリッド自動再送要求（ＨＡＲＱ））は、受信者が、誤って受信されたかもしれないパケットの再送信を自動的に要求するのを可能にする。
【００３２】
アクセス端末に関連して様々な実施形態が本明細書で説明される。アクセス端末はまた、システム、加入者ユニット、加入者設備（subscriber station）、モバイル局、モバイル、リモート局、リモート端末、モバイル・デバイス、ユーザ端末、端末、無線通信デバイス、ユーザ・エージェント、ユーザ・デバイス又はユーザ装置（ＵＥ）と呼ばれることができる。アクセス端末は、セルラー電話、コードレス電話、セッション開始プロトコル（ＳＩＰ）電話、ワイヤレスローカルループ（ＷＬＬ）局、携帯情報端末（ＰＤＡ）、無線接続機能を有するハンドヘルド・デバイス、コンピュータ・デバイス、又は無線モデムに接続される他の処理デバイスであることができる。さらに、基地局に関連して様々な実施形態が本明細書で説明される。基地局は、（１又は複数の）アクセス端末と通信するために利用されることができ、また、アクセスポイント、Ｎｏｄｅ Ｂ、発展型Ｎｏｄｅ Ｂ（Evolved Node B）（ｅＮｏｄｅＢ）、アクセスポイント基地局と呼ばれることができ又は何らかの他の専門用語で呼ばれることができる。
【００３３】
さて、図１を参照して、本明細書で提示される様々な実施形態に従った無線通信システム１００が説明される。システム１００は、複数のアンテナ・グループを含むことができる基地局１０２を含む。例えば、一つのアンテナ・グループはアンテナ１０４と１０６を含むことができ、他のグループはアンテナ１０８と１１０を含むことができ、更なるグループはアンテナ１１２と１１４を含むことができる。各々のアンテナ・グループについて二つのアンテナが示されている；しかし、各々のグループについて、より多い又はより少ないアンテナが利用されることができる。基地局１０２は、送信機チェーンと受信機チェーンを更に含むことができる。そして、それらの各々は順に信号の送信と受信に関連する複数のコンポーネント（例えば、プロセッサ、変調器、マルチプレクサ、復調器、デマルチプレクサ、アンテナ、その他）を含むことができる。そのことは当業者により認識されるであろう。
【００３４】
基地局１０２は、１又は複数のアクセス端末（例えば、アクセス端末１１６とアクセス端末１２２）と通信することができる；しかし、基地局１０２が、アクセス端末１１６及び１２２と同様の実質的に任意の数のアクセス端末と通信することができることは認識されるべきである。アクセス端末１１６と１２２は、例えば、セルラー電話、スマートフォン、ラップトップ、ハンドヘルド通信デバイス、ハンドヘルド・コンピュータ・デバイス、衛星ラジオ、グローバル・ポジショニング・システム、ＰＤＡ、及び／又は無線通信システム１００上で通信するための任意の他の適したデバイスであることができる。表されるように、アクセス端末１１６は、アンテナ１１２及び１１４と通信する。ここで、アンテナ１１２及び１１４は、順方向リンク１１８上でアクセス端末１１６へ情報を送信し、逆方向リンク１２０上でアクセス端末１１６から情報を受信する。さらに、アクセス端末１２２は、アンテナ１０４及び１０６と通信する。ここで、アンテナ１０４及び１０６は、順方向リンク１２４上でアクセス端末１２２へ情報を送信し、逆方向リンク１２６上でアクセス端末１２２から情報を受信する。周波数分割二重通信（frequency division duplex）（ＦＤＤ）システムにおいて、例えば、順方向リンク１１８は、逆方向リンク１２０により使用される周波数バンドとは異なる周波数バンドを利用することができ、順方向リンク１２４は、逆方向リンク１２６により使用される周波数バンドとは異なる周波数バンドを使用することができる。さらに、時分割二重通信（time division duplex (TDD)）（ＴＤＤ）システムにおいて、順方向リンク１１８及び逆方向リンク１２０は、共通の周波数バンドを利用することができ、順方向リンク１２４及び逆方向リンク１２６は、共通の周波数バンドを利用することができる。
【００３５】
各々のアンテナ・グループ及び／又はそれらが通信するように指定されたエリアは、基地局１０２のセクターと呼ばれることができる。例えば、各アンテナ・グループは、基地局１０２によりカバーされるエリアのセクターにおいて各アクセス端末と通信するようにデザインされることができる。順方向リンク１１８及び１２４上の通信において、基地局１０２の送信アンテナは、アクセス端末１１６及び１２２のための順方向リンク１１８及び１２４の信号対雑音比を改善するために、ビームフォーミングを利用することができる。また、基地局１０２は、関連したカバレージの至る所にランダムに散在されるアクセス端末１１６及び１２２へ送信するためにビームフォーミングを利用するとき、近隣のセルの中のアクセス端末は、すべてのそのアクセス端末へ単一アンテナにより送信している基地局と比較して、より少ない干渉を受けることができる。
【００３６】
図２は、例示的な無線通信システム２００を示す。無線通信システム２００は、簡潔にするために、一つの基地局２１０及び一つのアクセス端末２５０を表す。しかし、システム２００が二つ以上の基地局及び／又は二つ以上のアクセス端末を含むことができる（ここで、更なる基地局及び／又はアクセス端末は、下で説明される例示的な基地局２１０及びアクセス端末２５０と実質的に同様であることもでき又は相違することもできる）ことは認識されるべきである。さらに、基地局２１０及び／又はアクセス端末２５０が、それらの間の無線通信を容易にするために、本明細書で説明されるシステム及び／又は方法を使用することができることは認識されるべきである。
【００３７】
基地局２１０において、幾つかのデータ・ストリームのためのトラフィック・データが、データソース２１２から送信（ＴＸ）データプロセッサ２１４へ提供される。一つの例によれば、各々のデータ・ストリームは、それぞれのアンテナの上に送信されることができる。ＴＸデータプロセッサ２１４は、該トラフィック・データ・ストリームを、そのデータ・ストリームのために選択される特定の符号化スキームに基づいて、フォーマット、符号化及びインターリーブして、符号化データを提供する。
【００３８】
各々のデータ・ストリームごとの符号化データは、直交周波数分割多重（ＯＦＤＭ）技術を使用して、パイロット・データとともに多重化されることができる。それに加えて又はその代わりに、パイロット・シンボルは、周波数分割多重化（ＦＤＭ）されることができ、時分割多重化（ＴＤＭ）されることができ、又は、符号分割多重化（ＣＤＭ）されることができる。パイロット・データは、一般的に、既知の方法で処理される既知のデータ・パターンであり、チャネル・レスポンスを推定するためにアクセス端末２５０において使用されることができる。各々のデータ・ストリームごとの多重化されたパイロット及び符号化データは、変調シンボルを提供するために、そのデータ・ストリームのために選択される特定の変調スキーム（例えば、二位相偏移変調（ＢＰＳＫ）、４位相偏移変調（ＱＰＳＫ）、Ｍ位相偏移変調（Ｍ−ＰＳＫ）、Ｍ−直交振幅変調（Ｍ−ＱＡＭ）、その他）に基づいて、変調（例えば、シンボル・マッピング）されることができる。各々のデータ・ストリームごとのデータレート、符号化及び変調は、プロセッサ２３０により実行又は提供されるインストラクションによって判定されることができる。
【００３９】
各々のデータ・ストリームごとの変調シンボルは、ＴＸ ＭＩＭＯプロセッサ２２０に提供されることができる。そして、ＴＸ ＭＩＭＯプロセッサ２２０は、変調シンボルを更に処理することができる（例えば、ＯＦＤＭのために）。ＴＸ ＭＩＭＯプロセッサ２２０は、それから、ＮＴ個の変調シンボル・ストリームをＮＴ個の送信機（ＴＭＴＲ）２２２ａ〜２２２ｔに提供する。様々な実施形態において、ＴＸ ＭＩＭＯプロセッサ２２０は、ビームフォーミング重みを、データ・ストリームのシンボルに及びシンボルが送信されているアンテナに、適用する。
【００４０】
各々の送信機２２２は、それぞれのシンボル・ストリームを受信し処理して、１又は複数のアナログ信号を提供し、さらに、該アナログ信号を調整（例えば、増幅、フィルタリング及びアップコンバート）して、ＭＩＭＯチャネル上での伝送に適した変調信号を提供する。さらに、送信機２２２ａ〜２２２ｔからのＮＴ個の変調信号は、それぞれ、ＮＴ個のアンテナ２２４ａ〜２２４ｔから送信される。
【００４１】
アクセス端末２５０において、送信された変調信号は、ＮＲ個のアンテナ２５２ａ〜２５２ｒにより受信され、そして、各々のアンテナ２５２からの受信信号は、それぞれの受信機（ＲＣＶＲ）２５４ａ〜２５４ｒに提供される。各々の受信機２５４は、それぞれの信号を調整（例えば、フィルタリング、増幅及びダウンコンバート）し、該調整された信号をデジタイズして、サンプルを提供し、さらに、該サンプルを処理して、対応する「受信（received）」シンボル・ストリームを提供する。
【００４２】
ＲＸデータプロセッサ２６０は、ＮＲ個の受信機２５４からのＮＲ個の受信シンボル・ストリームを受信し、特定の受信機処理技術に基づき処理して、ＮＴ個の「検出（detected）」シンボル・ストリームを提供することができる。ＲＸデータプロセッサ２６０は、データ・ストリームのためのトラフィック・データを回復するために、各々の検出シンボル・ストリームを復調、デインターリーブ（deinterleave）及び復号化することができる。ＲＸデータプロセッサ２６０による処理は、基地局２１０におけるＴＸ ＭＩＭＯプロセッサ２２０及びＴＸデータプロセッサ２１４により実行される処理と相補的である。
【００４３】
プロセッサ２７０は、上記のようにいずれの利用可能な技術を利用するべきかについて周期的に判定することができる。さらに、プロセッサ２７０は、マトリックス・インデックス部及びランク値部を含む逆方向リンク・メッセージを作成する（formulate）ことができる。
【００４４】
逆方向リンク・メッセージは、通信リンク及び／又は受信データ・ストリームに関する様々なタイプの情報を含むことができる。逆方向リンク・メッセージは、ＴＸデータプロセッサ２３８（それはまたデータソース２３６から幾つかのデータ・ストリームのためのトラフィック・データを受信する）により処理され、変調器２８０により変調され、送信機２５４ａ〜２５４ｒにより調整され、そして、基地局２１０へ送信されることができる。
【００４５】
基地局２１０において、アクセス端末２５０からの変調信号は、アンテナ２２４により受信され、受信機２２２により調整され、復調器２４０により復調され、そして、アクセス端末２５０により送信された逆方向リンク・メッセージを抽出するために、ＲＸデータプロセッサ２４２により処理される。さらに、プロセッサ２３０は、ビームフォーミング重みの判定のためにいずれのプリコーディング行列を使用するべきかについて判定するために、該抽出されたメッセージを処理することができる。
【００４６】
プロセッサ２３０及び２７０は、それぞれ、基地局２１０及びアクセス端末２５０におけるオペレーションを指示（direct）（例えば、制御（control）、調整（coordinate）、管理（manage）、その他）することができる。それぞれのプロセッサ２３０及び２７０は、プログラム・コード及びデータを記憶するメモリ２３２及び２７２に関連することができる。プロセッサ２３０及び２７０はまた、それぞれ、アップリンク及びダウンリンクのための周波数及びインパルス応答推定を得るために計算を実行することができる。
【００４７】
次に、図３を参照して、一実施形態に従った信頼できる制御領域サイズの送信及びクロスキャリア・シグナリングの検出を容易にするための例示的なシステムが提供される。図示されるように、システム３００は、通信で無線端末３２０と接続される基地局３１０を含む。そのような実施形態の中で、図のように、それぞれの制御領域サイズを有する少なくとも第１及び第２のキャリアによって、マルチキャリア通信が容易にされる。ここでは、第１のキャリアはアンカー・キャリアであっても良く、一方、第２のキャリアは非アンカー・キャリアであっても良い。非アンカー・キャリアの上でのＰＣＦＩＣＨ検出の信頼性及びＰＤＳＣＨ復号化が間違ったＰＣＦＩＣＨに基づく場合に結果として生じるパフォーマンス・ロスに対する前述の懸念に対処するために、２〜３の予備的な解決策（preliminary solutions）が考慮される。
【００４８】
第１の予備的な解決策では、ＰＣＦＩＣＨ情報は、ＰＤＣＣＨのＰＤＣＣＨペイロードとして組み込まれる。ここでは、そのような解決策は比較的単純で頑強（robust）であるが、それでもなお、ＰＤＣＣＨのペイロード・サイズは通常増加するので、ＬＴＥ−Ａマルチキャリア・オペレーションのためにＬＴＥリリース−８ ＤＣＩフォーマットの再利用ができる限り要求されるならば、それは好ましくない場合がある。
【００４９】
第２の予備的な解決策は、ＰＤＳＣＨのパースペクティブ（perspective）からのＰＣＦＩＣＨ情報を非アンカー・キャリア上にハードコード（hard-code）する。つまり、クロスキャリア・シグナリングに関して、非アンカー・キャリア上のＰＤＣＣＨを介した指示されたＰＤＳＣＨ伝送は、対応するキャリア（例えば、３つのシンボル）上の固定されたＰＣＦＩＣＨ値であると仮定されることができる。ここでは、そのような解決策が比較的単純であるが、それはまたオーバーヘッド・コストを含む。異機種間接続ネットワークにおいて、例えば、非アンカー・キャリアが重く干渉されるならば、使用可能なＰＤＳＣＨシンボルは、すべての最強干渉セル（strongest interfering cells）からのＰＣＦＩＣＨシンボルの最大数によって制限される。その場合は、３つのハードコードされたシンボルは、あまり悲観的（pessimistic）でないかもしれない。それでもなお、２つのオペレーション・モードが実装されることができる点に留意される。ここで、一つのモードは、ＰＤＳＣＨのための非アンカー・キャリアから「規則的な（regular）」ＰＣＦＩＣＨの送信及び検出を実装し（例えば、リリース−８と合致している）、他のモードは、先に述べたようにＰＤＳＣＨ復号化パースペクティブ（PDSCH decoding perspectiv）から、ハードコードされたＰＣＦＩＣＨ値を実装する。そして、そのような実施形態について、いずれのモードが使用されるべきかの設定（configuration）は、ＵＥごとを原則とすることができ、又は、セルごとを原則とすることができる。更なる態様において、ＰＤＳＣＨ復号化のための固定されたＰＣＦＩＣＨ値は、常に、一つの値でハードコードされる代わりに、ブロードキャスト及び／又はシグナリングされることができる。
【００５０】
第３の予備的な解決策は、非アンカー・キャリアのＰＣＦＩＣＨ情報を、アンカー・キャリアから送信されるようにするものである。さらに、そのような実施形態の中で、非アンカーＰＤＳＣＨ復号化のためのＰＣＦＩＣＨは、アンカー・キャリアから送信され、また、リリース−８ ＰＣＦＩＣＨ構造に従うことができる。そのようなアプローチは、そのブロードキャストの性質のために比較的効率が悪い場合があるが、ｅＮｏｄｅＢが、実際のスケジュールされた送信に基づいて幾つかのキャリアについてＰＣＦＩＣＨを戦略的にオン／オフし得る点に留意される。
【００５１】
一つの態様において、上記の予備的な解決策の制限への対処を試みる幾つかの更なる解決策が考慮される。例えば、第１の実施形態において、ＰＤＣＣＨ巡回冗長検査（cyclic redundancy check）（ＣＲＣ）が、ＰＤＣＣＨシグナリングの対象とするキャリアのＰＣＦＩＣＨに基づいて、スクランブリングされる。そのような実施形態の中で、「汎用の（generalized）」ＰＣＦＩＣＨ値が、第２のキャリアの上で実装されることができる。ここで、クロスキャリア・シグナリングされるＰＣＩＦＣＨ値（cross-carrier signaled PCIFCH value）は、必ずしも同一キャリア・シグナリングされるＰＣＩＦＣＨ値（same-carrier signaled PCIFCH value）と同じでなくても良い。言い換えると、第２のキャリアの上で、同一キャリア・シグナリングされるＰＣＩＦＣＨ値が通常通りブロードキャストされても良い。また一方、ＰＤＣＣＨが第１のキャリアの上で送信され且つＰＤＳＣＨが第２のキャリアの上で送信されるクロスキャリア・シグナリングを使用するＵＥについて、クロスキャリア・シグナリングされるＰＣＦＩＣＨ値（例えば、スクランブリングを経て送信されるＰＣＦＩＣＨ値、その他）は、必ずしも第２のキャリア上のブロードキャストであるＰＣＩＦＣＨ値と同じでなくても良い。
【００５２】
通常、クロスキャリア・シグナリングされるＰＣＦＩＣＨ値の数が、ブロードキャストされる同一キャリアＰＣＦＩＣＨ値の数を下回らないようにすることは、望ましい場合がある。幾つかの実施形態については、しかし、オーバーヘッド及びパフォーマンスのトレードオフのために、クロスキャリア・シグナリングされるＰＣＦＩＣＨ値の数が、同一キャリアＰＣＦＩＣＨ値の数を下回っても良い。例えば、クロスキャリアＰＣＦＩＣＨ値の数は、同一キャリア・シグナリングのための３つの固定されたＰＣＦＩＣＨ値を下回っても良い。ここでは、それゆえ、ＰＣＦＩＣＨが最大で３つの異なる値をとっても良く、また、ＰＤＣＣＨ ＣＲＣをスクランブリングするためのこれらの３つのＰＣＦＩＣＨの値が、３つの異なるＲＮＴＩ（無線ネットワーク一時識別情報（Radio Network Temporary Identities））を有することと類似している点に留意される。そして、それは誤警報確率（false alarm probability）を増加させるかもしれない。
【００５３】
これらの誤警報確率の懸念に対処するために、ＰＤＣＣＨ ＣＲＣスクランブル技術は、非アンカー・キャリアのＰＣＦＩＣＨ情報がアンカー・キャリアから送信される上記の第３の予備的な解決策と結合されることができる。すなわち、ＰＣＦＩＣＨベースのＰＤＣＣＨ ＣＲＣスクランブリングと、非アンカー・キャリアのためのＰＣＦＩＣＨをアンカー・キャリアから送信されるようにすることを結合することによって、誤警報確率を増加させることなく、ＰＣＦＩＣＨの送信及び検出の信頼性を大いに改善することができる。さらにまた、非アンカー・キャリアのＰＣＦＩＣＨ情報をアンカー・キャリアから送信されるようにすることのブロードキャストの性質は、他のＵＥが、アンカー・キャリアの上で送信される同一のＰＣＦＩＣＨのクロス・チェッキング（cross-checking）を介して、非アンカー・キャリアの上で送信されるＰＣＦＩＣＨを検出するのを支援し得る点に留意される。
【００５４】
他の態様において、ＰＣＦＩＣＨベースのＰＤＣＣＨ ＣＲＣスクランブル技術は、非アンカー・キャリアの上でＰＣＦＩＣＨを送信し続けることと結合される。その結果、ＵＥは、ＰＣＦＩＣＨ検出の目的で、非アンカー・キャリア（ＰＤＳＣＨが送信されるもの）の上で送信されるＰＣＦＩＣＨ及びアンカー・キャリアから送信される対応するＰＤＣＣＨのＣＲＣスクランブリングのために使用されるＰＣＦＩＣＨを信頼し得る。そのような複合技術を実装することによって、ＰＣＦＩＣＨ信頼性は、かなり強化されることができる。
【００５５】
さらにもう一つの実施形態において、同一のＰＣＦＩＣＨ値が、ＵＥごとの原則でキャリア全体にわたって利用されることができる。例えば、そのような実施形態の中で、クロス・レイヤ・シグナリングを介して（１又は複数の）ＰＤＳＣＨを割り当てられている各々のＵＥは、ちょうど、（１又は複数の）非アンカー・キャリアがアンカー・キャリアと同じＰＣＦＩＣＨ値を有すると仮定することができる。
【００５６】
また、インターリーバ・ベースの実施形態も考慮される。それは、資源エレメントの上へ変調シンボルをマッピングするための新しいチャネル・インターリーバ・デザインを実装する。この実施形態について、変調シンボルは、リリース−８と同じ「最初に周波数、２番目に時間（frequency first, time second）」のインターリーブ構造の後に続くサブフレームにおける最後の直交周波数分割多重化（ＯＦＤＭ）シンボルからマッピングされることができる。この場合、信頼できないＰＣＦＩＣＨによる復号化のために、受信機は、最初の３つのＯＦＤＭシンボルにおける「落ちている（falling）」変調シンボルを「削除（erase）」することができた（これらのシンボルは制御シンボルであり得たので）。すなわち、受信機におけるプロセスは、リバース・インターリーブ（reverse interleaved）された変調シンボルのセットの初期シーケンス（initial sequence）（ここで、初期シーケンスは、最後のデータシンボルから始まる）を削除することを含んでも良い。
【００５７】
先に述べたように、信頼できるＰＣＦＩＣＨ送信の可能な解決策は、アンカー・キャリアを介して非アンカー・キャリアのＰＣＦＩＣＨを通信することである。この特定のアプローチのために、アンカー・キャリアの上でＰＣＦＩＣＨ／ＰＨＩＣＨ（物理ハイブリッドＡＲＱ（ＨＡＲＱ）表示チャネル(Physical Hybrid ARQ (HARQ) Indicator Channel)）／ＰＤＣＣＨデザインに関して下位互換性を維持することは望ましいであろう。ＰＣＦＩＣＨを送信する方法に関する２〜３の例示的なオプションが本明細書で考慮される。第１の例示的なオプションにおいて、ＰＤＣＣＨのための最後の制御チャネル・エレメント（ＣＣＥ）は一般的に実際のＰＤＣＣＨ伝送のために使用される最少のものであるので、非アンカーＰＣＦＩＣＨのために使用される実際の資源は、アンカーＰＣＦＩＣＨ／ＰＨＩＣＨ／ＰＤＣＣＨの後に存在する未使用の資源エレメント・グループ（ＲＥＧ）及び／又はＰＤＣＣＨのための（１又は複数の）最後の制御チャネル・エレメント（ＣＣＥ）からであることができる。
【００５８】
第２の例示的なオプションにおいて、クロスキャリアＰＣＦＩＣＨは、特定のＰＨＩＣＨで設定された資源（specific PHICH-configured resources）の上で伝達される。例えば、幾つかのＰＨＩＣＨ資源は、ＰＣＦＩＣＨのために指定されることができる。ここで、正確にそのＰＨＩＣＨ資源はシステム情報において特定されることができる。そのような技術はわずかなスケジューリングの制約をもたらすが、それはまた、ＰＤＣＣＨにおける最後のＣＣＥにそれを固定するのに比べて、より良好な粒度（granularity）（すなわち、ＣＣＥより小さい）及び設定可能性（configurability）を提供する。
【００５９】
第３の例示的なオプションにおいて、ＰＣＦＩＣＨは、ＰＤＳＣＨ資源の一部として専用の方法で送信される。この特定の実施形態について、許可（grant）は、一つの（アンカー）キャリアの上で提供されることができ、また、場合によって他のキャリアの上で特定のバンド幅資源を割り当てるであろう。ここで、ＰＣＦＩＣＨは、特定のパターンに従って、割り当てられたＰＤＳＣＨに組み込まれるであろう（例えば、それが第３のＯＦＤＭシンボルの後に配置されることを確認する）。さらに、このプロセスは、アンカー・キャリアのデータ領域において非アンカー・キャリアの制御領域サイズを伝達することを含む。ここで、伝達することは、予め定められたパターンに従って且つクロスキャリア通信の間に、起こる。該プロセスはまた、ＰＤＳＣＨデータ伝送をパンクチャーリング（puncturing）及び／又はレート・マッチング（rate matching）することを含んでも良い。ここで、インターセル干渉調整（inter-cell interference coordination）（ＩＣＩＣ）の幾つかの形がデータ・チャネルの上に存在すると仮定すると、信頼性は問題ではないはずである。
【００６０】
次に、図４を参照して、一実施形態に従った制御領域のサイズの表示を容易にする例示的な基地局のブロック図が提供される。図示されるように、基地局４００は、プロセッサ・コンポーネント４１０、メモリ・コンポーネント４２０、通信コンポーネント４３０、制御フォーマット・コンポーネント４４０、生成コンポーネント４５０、割り当てコンポーネント４６０及びリバース・インターリーバ・コンポーネント４７０（reverse interleaver component 470）を含んでも良い。
【００６１】
一つの態様において、プロセッサ・コンポーネント４１０は、複数の機能のうちの任意のものを実行することに関係するコンピュータ読み取り可能なインストラクションを実行するように構成される。プロセッサ・コンポーネント４１０は、基地局４００から通信される情報を解析すること、及び／又は、メモリ・コンポーネント４２０、通信コンポーネント４３０、制御フォーマット・コンポーネント４４０、生成コンポーネント４５０、割り当てコンポーネント４６０及び／又はリバース・インターリーバ・コンポーネント４７０により利用されることができる情報を生成することのために専用される単一のプロセッサ又は複数のプロセッサであることができる。それに加えて又はその代わりに、プロセッサ・コンポーネント４１０は、基地局４００の１又は複数のコンポーネントを制御するように構成されても良い。
【００６２】
他の態様において、メモリ・コンポーネント４２０は、プロセッサ・コンポーネント４１０に接続され、また、プロセッサ・コンポーネント４１０により実行されるコンピュータ読み取り可能なインストラクションを記憶するように構成される。メモリ・コンポーネント４２０はまた、通信コンポーネント４３０、制御フォーマット・コンポーネント４４０、生成コンポーネント４５０、割り当てコンポーネント４６０及び／又はリバース・インターリーバ・コンポーネント４７０のうちの任意のものにより生成されるデータを含む複数の他のタイプのデータのうちの任意のものを記憶するように構成されても良い。メモリ・コンポーネント４２０は、ランダムアクセスメモリ、バッテリー・バックアップ付きメモリ（battery-backed memory）、ハードディスク、磁気テープなどを含む数多くの異なるコンフィギュレーションで構成されることができる。また、例えば圧縮及び自動バックアップ（compression and automatic back up）（例えば、独立ドライブの冗長アレイ（Redundant Array of Independent Drives）の構成の使用）などのような様々な機能（features）が、メモリ・コンポーネント４２０に実装されることができる。
【００６３】
さらにもう一つの態様において、基地局４００は、通信コンポーネント４３０を含む。通信コンポーネント４３０は、プロセッサ・コンポーネント４１０に接続され、また、基地局４００を外部エンティティーにインタフェースするように構成される。例えば、通信コンポーネント４３０は、マルチキャリア通信を介して制御信号を通信するように構成されても良い。この特定の実施形態について、該制御信号は、少なくとも一つのユーザ装置のために第２のキャリアの上でのマルチキャリア通信をサポートするために、第１のキャリアの上で送信される。
【００６４】
図示されるように、基地局４００はまた、制御フォーマット・コンポーネント４４０を含んでも良い。そのような実施形態の中で、制御フォーマット・コンポーネント４４０は、制御領域サイズを確認（ascertain）するように構成される。例えば、特定の実施形態において、制御フォーマット・コンポーネント４４０は、第１のキャリアに関連する第１の制御領域サイズ及び第２のキャリアに関連する第２の制御領域サイズを確認するように構成される。
【００６５】
他の態様において、基地局４００は、生成コンポーネント４５０を更に含んでも良い。生成コンポーネント４５０は、上記の制御信号を生成するように構成される。ここでは、生成コンポーネント４５０は、複数の方法のうちの任意の方法で該制御信号を生成するように構成されても良い点に留意されるべきである。例えば、第１の例示的な実施形態において、生成コンポーネント４５０は、第２の制御領域サイズを第１の制御領域サイズと関連付けることによって、制御信号を生成する。そのような実施形態の中で、生成コンポーネント４５０は、少なくとも一つのユーザ装置を、第１の制御領域サイズがクロスキャリア通信の間において第２の制御領域サイズと等しいと仮定するように構成することによって、該関連付けを実行するように構成される。この特定の実施形態について、通信コンポーネント４３０は、第１のキャリアの上で物理ダウンリンク制御チャネル伝送を送信し、また、第２のキャリアの上で物理ダウンリンク共有チャネル伝送を送信ように構成されても良い。
【００６６】
また一方、第２の例示的な実施形態において、生成コンポーネント４５０は、第２の制御領域サイズに基づいて、制御信号（例えば、巡回冗長検査）のアスペクト（aspect）をスクランブリングすることによって、制御信号を生成するように構成される。そのような実施形態の中で、生成コンポーネント４５０は、第１のキャリアの上へ第２の制御領域サイズを符号化する。例えば、生成コンポーネントは、予め定められたパターンに従って且つクロスキャリア通信の間に、第１のキャリアのデータ領域において第２の制御領域サイズを伝えるように構成されても良い。この特定の実施形態について、通信コンポーネント４３０は、第１のキャリアの上で物理ダウンリンク制御チャネル伝送を送信し、また、第２のキャリアの上で物理ダウンリンク共有チャネル伝送を送信するように構成されても良い。一つの態様において、生成コンポーネント４５０は、第１のキャリアのデータ領域を使用して物理ダウンリンク共有チャネル伝送をパンクチャーリングするように構成され、一方、他の態様において、生成コンポーネント４５０は、第１のキャリアのデータ領域を使用して物理ダウンリンク共有チャネル伝送をレート・マッチングするように構成される。
【００６７】
更なる態様において、生成コンポーネント４５０は、第２のキャリアの上で汎用の（generalized）物理制御フォーマット表示チャネル値（Physical Control Format Indicator Channel value）を提供するように更に構成されても良い。そのような実施形態について、クロスキャリア・シグナリングされる物理制御フォーマット表示チャネル値（例えば、スクランブリングを経て送信される値など）が、必ずしも第２のキャリアのブロードキャストである物理制御フォーマット表示チャネル値と同じでなくても良い点に留意される。さらに、そのような実施形態について、物理制御フォーマット表示チャネル値のクロスキャリア数（cross-carrier number）は、物理制御フォーマット表示チャネル値の同一キャリア数（same-carrier number）とは異なっても良い。
【００６８】
生成コンポーネント４５０が、第１のキャリアの上へ第２の制御領域サイズを符号化するのを容易にするために割り当てコンポーネント４６０を利用しても良い点に更に留意されるべきである。例えば、割り当てコンポーネント４６０は、第１のキャリアの上へ第２の制御領域サイズを符号化するために、複数の資源のうちの任意のものを割り当てるように構成されても良い。一つの態様において、割り当てられた資源は、制御チャネル・エレメントのシーケンスにおける制御チャネル・エレメントの最後のセットのうちの少なくとも一つである。ここで、制御チャネル・エレメントの最後のセットは、物理ダウンリンク制御チャネルに関連する。他の態様において、割り当てられた資源は、物理ハイブリッド自動再送要求表示チャネル（Physical Hybrid Automatic Repeat Request Indicator Channel）に関連する。さらにもう一つの態様において、割り当てられた資源は、資源エレメント・グループのシーケンスにおける未使用の資源エレメント・グループ（unused resource element group）である。ここで、未使用の資源エレメント・グループは、使用済みの資源エレメント・グループ（used resource element group）の後に存在する。この特定の実施形態について、割り当てコンポーネント４６０は、使用済みの資源エレメント・グループを第１のキャリアへ割り当てるように構成される。ここで、使用済みの資源エレメント・グループは、物理制御フォーマット表示チャネル、物理ハイブリッド自動再送要求表示チャネル又は物理ダウンリンク制御チャネルのうちの少なくとも一つに関連する。
【００６９】
幾つかの実施形態について、制御信号を介して制御領域のサイズを表示するよりもむしろ、基地局４００は、リバース・インターリーバ・コンポーネント４７０を利用する。そのような実施形態について、リバース・インターリーバ・コンポーネント４７０は、最後のデータシンボルから始まり（beginning from a last data symbol）且つ最初の利用可能なデータシンボルで終わる（ending with a first available data symbol）ように変調シンボルのセットをマッピングするように構成されても良く、一方、通信コンポーネント４３０は、第１及び第２のキャリアにより容易にされるマルチキャリア通信を介してユーザ装置へ変調シンボルのセットを送信するように構成されても良い。一つの態様において、リバース・インターリーバ・コンポーネント４７０は、最初に周波数、２番目に時間のインターリーブ・スキーム（frequency first, time second, interleaving scheme）に従って、変調シンボルのセットをマッピングする。他の態様において、変調シンボルのセットは、物理ダウンリンク共有チャネルに関連する。
【００７０】
図５へ移って、一実施形態に従った制御領域のサイズの表示を容易にするシステム５００が説明される。例えば、システム５００及び／又はシステム５００を実装するためのインストラクションは、ネットワーク・エンティティー（例えば、基地局４００）又はコンピュータ読み取り可能な記憶媒体の内部に存在することができる。表されるように、システム５００は、プロセッサ、ソフトウェア又はそれらの組み合せ（例えば、ファームウェア）により実装される機能を表現することができる機能ブロックを含む。システム５００は、一緒に動作することができる電気コンポーネントの論理グループ５０２を含む。図示されるように、論理グループ５０２は、第１のキャリア及び第２のキャリアにより容易にされるマルチキャリア通信を確立するために電気コンポーネント５１０、及び、上記第１のキャリアに関連する第１の制御領域サイズ及び上記第２のキャリアに関連する第２の制御領域サイズを確認するための電気コンポーネント５１２を含むことができる。論理グループ５０２はまた、制御信号を、上記第２の制御領域サイズに基づいて該制御信号のアスペクトをスクランブリングすることによって、生成するための電気コンポーネント５１４を含むことができる。さらに、論理グループ５０２は、少なくとも一つのユーザ装置のために上記第２のキャリアの上の上記マルチキャリア通信をサポートするために、上記第１のキャリアの上で上記制御信号を送信するための電気コンポーネント５１６を含むことができる。さらに、システム５００は、電気コンポーネント５１０,５１２,５１４及び５１６に関連する機能を実行するためのインストラクションを保持するメモリ５２０を含むことができる。ここで、電気コンポーネント５１０,５１２,５１４及び５１６のうちの任意のものは、メモリ５２０の内部に又は外部に存在することができる。
【００７１】
次に、図６を参照して、一実施形態に従った制御領域のサイズの表示を容易にする他のシステム６００が説明される。例えば、システム６００及び／又はシステム６００を実装するためのインストラクションはまた、ネットワーク・エンティティー（例えば、基地局４００）又はコンピュータ読み取り可能な記憶媒体の内部に存在することができる。ここで、システム６００は、プロセッサ、ソフトウェア又はそれらの組み合せ（例えば、ファームウェア）により実装される機能を表現することができる機能ブロックを含む。さらに、システム６００は、システム５００における論理グループ５０２と同様である一緒に動作することができる電気コンポーネントの論理グループ６０２を含む。図示されるように、論理グループ６０２は、第１のキャリア及び第２のキャリアにより容易にされるマルチキャリア通信を確立するために電気コンポーネント６１０、及び、上記第１のキャリアに関連する第１の制御領域サイズ及び上記第２のキャリアに関連する第２の制御領域サイズを確認するための電気コンポーネント６１２を含むことができる。論理グループ６０２はまた、上記第２の制御領域サイズを上記第１の制御領域サイズと関連付けることによって、制御信号を生成するための電気コンポーネント６１４を含むことができる。さらに、論理グループ６０２は、少なくとも一つのユーザ装置のために上記第２のキャリアの上のマルチキャリア通信をサポートするために、上記第１のキャリアの上で上記制御信号を送信するための電気コンポーネント６１６を含むことができる。さらに、システム６００は、電気コンポーネント６１０,６１２,６１４及び６１６に関連する機能を実行するためのインストラクションを保持するメモリ６２０を含むことができる。メモリ６２０の外部に存在するように示されているが、電気コンポーネント６１０,６１２,６１４及び６１６がメモリ６２０の内部に存在することができることは理解されるべきである。
【００７２】
次に、図７を参照して、制御領域のサイズの表示を容易にするさらにもう一つの例示的なシステム７００が説明される。例えば、システム７００及び／又はシステム７００を実装するためのインストラクションは、ネットワーク・エンティティー（例えば、基地局４００）又はコンピュータ読み取り可能な記憶媒体の内部に物理的に存在することができる。ここで、システム７００は、プロセッサ、ソフトウェア又はそれらの組み合せ（例えば、ファームウェア）により実装される機能を表現することができる機能ブロックを含む。さらに、システム７００は、システム５００及び６００における論理グループ５０２及び６０２それぞれと同様である一緒に動作することができる電気コンポーネントの論理グループ７０２を含む。図示されるように、論理グループ７０２は、第１のキャリア及び第２のキャリアを介してユーザ装置とのマルチキャリア通信を確立するための電気コンポーネント７１０を含むことができる。さらにまた、論理グループ７０２は、変調シンボルのセットを、最後のデータシンボルから最初の利用可能なデータシンボルへマッピングするように構成されるリバース・インターリーバを実行するための電気コンポーネント７１２を含むことができる。論理グループ７０２はまた、上記変調シンボルのセットを上記少なくとも一つのユーザ装置へ送信するための電気コンポーネント７１４を含むことができる。さらに、システム７００は、電気コンポーネント７１０,７１２及び７１４に関連する機能を実行するためのインストラクションを保持するメモリ７２０を含むことができる。メモリ７２０の外部に存在するように示されているが、電気コンポーネント７１０,７１２及び７１４がメモリ７２０の内部に存在することができることは理解されるべきである。
【００７３】
次に、図８を参照して、制御領域のサイズの表示を容易にする例示的な方法を示すフローチャートが提供される。図示されるように、プロセス８００は、対象となるスペシフィケイションの態様に従ってネットワーク・エンティティー（例えば、基地局４００）の様々なコンポーネントにより実行され得る一連のアクトを含む。プロセス８００は、該一連のアクトを実装するためにコンピュータ読み取り可能な記憶媒体に記憶されるコンピュータ実行可能なインストラクションを実行するために少なくとも一つのプロセッサを使用することによって、実装されても良い。他の実施形態において、少なくとも一つのコンピュータにプロセス８００のアクトを実装させるためのコードを含むコンピュータ読み取り可能な記憶媒体が考慮される。
【００７４】
一つの態様において、プロセス８００は、アクト８１０において制御領域サイズが確認されることから始まる。マルチキャリア・オペレーションが考慮されるので、アクト８１０は、第１のキャリアに関連する第１の制御領域サイズを確認することと、第２のキャリアに関連する第２の制御領域サイズを確認することを含んでも良い。
【００７５】
次に、アクト８２０において、無線端末へ制御領域サイズを通信するための特定の表示アルゴリズム（indication algorithm）が開始される。ここでは、例えばインターリーバ・ベースのアルゴリズム及び制御領域サイズが制御信号の中に符号化されるアルゴリズムを含む複数のアルゴリズムのうちの任意のものが、実装されることができる点に留意されるべきである。アクト８３０において、例えば、プロセス８００は、インターリーバ・ベースのアルゴリズムが実装されるかどうかの判定を含んでも良い。
【００７６】
インターリーバ・ベースのアルゴリズムが実装されるならば、プロセス８００はアクト８４０に進み、ここでは、変調シンボルのセットが符号化される。変調シンボルが符号化されると、それから、アクト８５０において該変調シンボルがリバース・インターリーブされる。次に、アクト８６０において、マルチキャリア通信が無線端末と確立される。続いて、アクト８７０において、制御領域サイズが、インターリーバ・ベースのアルゴリズムに従って、通信される。
【００７７】
また一方、インターリーバ・ベースのアルゴリズムが実装されないならば、プロセス８００は、アクト８３５に進んでも良く、ここでは、制御領域サイズを制御信号内に符号化するのを容易にするために資源が割り当てられる。資源が割り当てられると、それから、アクト８４５において制御信号が生成される。ここでは、制御領域サイズが複数の方法のうちの任意の方法で制御信号の上へ符号化されても良い点に留意されるべきである。例えば、制御信号は、第２の制御領域サイズに基づいて制御信号のアスペクトをスクランブリングすることによって、及び／又は、第２の制御領域サイズを第１の制御領域サイズと関連付けることによって、生成されても良い。制御信号が生成されると、プロセス８００はアクト８６０に進み、ここでは、マルチキャリア通信が無線端末と確立される。それから、アクト８７０において、制御信号を無線端末へ送信することによって、制御領域サイズが通信される。
【００７８】
次に、図９を参照して、ブロック図は様々な態様に従った制御領域のサイズの判定を容易にする例示的な無線端末を示す。図示されるように、無線端末９００は、プロセッサ・コンポーネント９１０、メモリ・コンポーネント９２０、設定コンポーネント９３０、通信コンポーネント９４０及び復号化コンポーネント９５０を含んでも良い。
【００７９】
基地局４００におけるプロセッサ・コンポーネント４１０と同様に、プロセッサ・コンポーネント９１０は、複数の機能のうちの任意のものを実行することに関係するコンピュータ読み取り可能なインストラクションを実行するように構成される。プロセッサ・コンポーネント９１０は、無線端末９００から通信される情報を解析すること、及び／又は、メモリ・コンポーネント９２０、設定コンポーネント９３０、通信コンポーネント９４０及び／又は復号化コンポーネント９５０により利用されることができる情報を生成することのために専用される単一のプロセッサ又は複数のプロセッサであることができる。それに加えて又はその代わりに、プロセッサ・コンポーネント９１０は、無線端末９００の１又は複数のコンポーネントを制御するように構成されても良い。
【００８０】
他の態様において、メモリ・コンポーネント９２０は、プロセッサ・コンポーネント９１０に接続され、また、プロセッサ・コンポーネント９１０により実行されるコンピュータ読み取り可能なインストラクションを記憶するように構成される。メモリ・コンポーネント９２０はまた、設定コンポーネント９３０、通信コンポーネント９４０及び／又は復号化コンポーネント９５０のうちの任意のものにより生成されるデータを含む複数の他のタイプのデータのうちの任意のものを記憶するように構成されても良い。ここでは、メモリ・コンポーネント９２０は基地局４００におけるメモリ・コンポーネント４２０に類似している点に留意されるべきである。したがって、メモリ・コンポーネント４２０の前述の特徴（features）／構成（configurations）のうちの任意のものがまたメモリ・コンポーネント９２０に当てはまることは理解されるべきである。
【００８１】
図示されるように、無線端末９００はまた、設定コンポーネント９３０、通信コンポーネント９４０及び／又は復号化コンポーネント９５０を含んでも良い。一つの態様において、設定コンポーネント９３０は、第１及び第２のキャリアを監視するように、無線端末９００を設定（configures）する。通信コンポーネント９４０は、無線端末９００を外部エンティティーとインタフェースするように構成され、一方、復号化コンポーネント９５０は、第１のキャリアに関連する第１の制御領域サイズ及び第２のキャリアに関連する第２の制御領域サイズを判定するように構成される。
【００８２】
第１の例示的な実施形態において、無線端末９００は、受信された制御信号を介して制御領域サイズを判定するように構成される。そのような実施形態の中で、通信コンポーネント９４０は、第１及び第２のキャリアを介して制御信号を受信するように構成され、一方、復号化コンポーネント９５０は、制御信号のアスペクトをデスクランブリングするか又は第２の制御領域サイズを第１の制御領域サイズと関連付けることによって、第１の制御領域サイズ及び第２の制御領域サイズを判定するように構成される。例えば、制御信号をデスクランブリングするとき、復号化コンポーネント９５０は、制御信号の巡回冗長検査をデスクランブリングするように構成されても良い。また、デスクランブリングは、復号化コンポーネント９５０が、第１のキャリアから第２の制御領域サイズを復号化するように構成されるようにすることによって、容易にされても良い。
【００８３】
第２の制御領域サイズを第１の制御領域サイズと関連付けるとき、復号化コンポーネント９５０は、第１の制御領域サイズがクロスキャリア通信の間において第２の制御領域サイズと等しいと仮定するように構成されても良い。そのような実施形態の中で、通信コンポーネント９４０は、第１のキャリアを介して物理ダウンリンク制御チャネルを受信するように構成されても良く、一方、物理ダウンリンク共有チャネルは第２のキャリアを介して受信される。
【００８４】
第２の例示的な実施形態において、無線端末９００は、リバース・インターリーブされた変調シンボルのセットを復号化することによって、制御領域サイズを判定するように構成される。そのような実施形態の中で、通信コンポーネント９４０は、最後のデータシンボルから始まり且つ最初の利用可能なデータシンボルで終わるようにマッピングされた、リバース・インターリーブされた変調シンボルのセットを受信するように構成され、一方、復号化コンポーネント９５０は、該リバース・インターリーブされた変調シンボルのセットをデインターリーブすることによって、第１の制御領域サイズ及び第２の制御領域サイズを復号化するように構成される。一つの態様において、該リバース・インターリーブされた変調シンボルのセットは、最初に周波数、２番目に時間のインターリーブ・スキーム（a frequency first, time second, interleaving scheme）に従ってマッピングされており、一方、他の態様において、変調シンボルのセットは、物理ダウンリンク共有チャネルに関連する。さらにもう一つの態様において、復号化コンポーネント９５０は、リバース・インターリーブされた変調シンボルのセットの初期シーケンス（該初期シーケンスは、最後のデータシンボルから始まる）を削除するように構成される。
【００８５】
図１０へ移って、一実施形態に従った制御領域のサイズの判定を容易にするシステム１０００が説明される。例えば、システム１０００及び／又はシステム１０００を実装するためのインストラクションは、ユーザ装置（例えば、無線端末９００）又はコンピュータ読み取り可能な記憶媒体の内部に存在することができる。表されるように、システム１０００は、プロセッサ、ソフトウェア又はそれらの組み合せ（例えば、ファームウェア）により実装される機能を表現することができる機能ブロックを含む。システム１０００は、一緒に動作することができる電気コンポーネントの論理グループ１００２を含む。図示されるように、論理グループ１００２は、第１の制御領域サイズを有する第１のキャリア及び第２の制御領域サイズを有する第２のキャリアを監視するようにユーザ装置を設定するために電気コンポーネント１０１０を含むことができる。さらにまた、論理グループ１００２は、上記第１のキャリア及び上記第２のキャリアを介して制御信号を受信するための電気コンポーネント１０１２を含むことができる。論理グループ１００２はまた、上記制御信号のアスペクトをデスクランブリングすることによって、上記第１の制御領域サイズ及び上記第２の制御領域サイズを確認するための電気コンポーネント１０１４を含むことができるまた。さらに、システム１０００は、電気コンポーネント１０１０,１０１２及び１０１４に関連する機能を実行するためのインストラクションを保持するメモリ１０２０を含むことができる。メモリ１０２０の外部に存在するように示されるが、電気コンポーネント１０１０,１０１２及び１０１４がメモリ１０２０の内部に存在することができることは理解されるべきである。
【００８６】
次に、図１１を参照して、一実施形態に従った制御領域のサイズの判定を容易にする他のシステム１１００が説明される。例えば、システム１１００及び／又はシステム１１００を実装するためのインストラクションはまた、ユーザ装置（例えば、無線端末９００）又はコンピュータ読み取り可能な記憶媒体の内部に存在することができる。ここで、システム１１００は、プロセッサ、ソフトウェア又はそれらの組み合せ（例えば、ファームウェア）により実装される機能を表現することができる機能ブロックを含む。さらに、システム１１００は、システム１０００における論理グループ１００２と同様である一緒に動作することができる電気コンポーネントの論理グループ１１０２を含む。図示されるように、論理グループ１１０２は、第１の制御領域サイズを有する第１のキャリア及び第２の制御領域サイズを有する第２のキャリアを監視するようにユーザ装置を設定するための電気コンポーネントズ１１１０を含むことができる。さらにまた、論理グループ１１０２は、上記第１のキャリア及び上記第２のキャリアを介して制御信号を受信するための電気コンポーネント１１１２を含むことができる。論理グループ１１０２はまた、上記第２の制御領域サイズを上記第１の制御領域サイズと関連付けることによって、第１及び第２の制御領域サイズを確認するための電気コンポーネント１１１４を含むことができる。さらに、システム１１００は、電気コンポーネント１１１０,１１１２及び１１１４に関連する機能を実行するためのインストラクションを保持するメモリ１１２０を含むことができる。メモリ１１２０の外部に存在するように示されるが、電気コンポーネント１１１０,１１１２及び１１１４がメモリ１１２０の内部に存在することができることは理解されるべきである。
【００８７】
次に、図１２を参照して、制御領域のサイズの判定を容易にするさらにもう一つの例示的なシステム１２００が説明される。例えば、システム１２００及び／又はシステム１２００を実装するためのインストラクションは、ユーザ装置（例えば、無線端末９００）又はコンピュータ読み取り可能な記憶媒体の内部に物理的に存在することができる。ここで、システム１２００は、プロセッサ、ソフトウェア又はそれらの組み合せ（例えば、ファームウェア）により実装される機能を表現することができる機能ブロックを含む。さらに、システム１２００は、システム１０００及び１１００における論理グループ１００２及び１１０２それぞれと同様である一緒に動作することができる電気コンポーネントの論理グループ１２０２を含む。図示されるように、論理グループ１２０２は、第１の制御領域サイズを有する第１のキャリア及び第２の制御領域サイズを有する第２のキャリアを監視するようにユーザ装置を設定するために電気コンポーネント１２１０を含むことができる。さらにまた、論理グループ１２０２は、逆の順番にある変調シンボルのセット（それらは最後のデータシンボルから最初の利用可能なデータシンボルへマッピングされている）を受信するための電気コンポーネント１２１２を含むことができる。論理グループ１２０２はまた、上記変調シンボルのセットをデインターリーブすることによって、上記第１の制御領域サイズ及び上記第２の制御領域サイズを確認するための電気コンポーネント１２１４を含むことができる。さらに、システム１２００は、電気コンポーネント１２１０,１２１２及び１２１４に関連する機能を実行するためのインストラクションを保持するメモリ１２２０を含むことができる。メモリ１２２０の外部に存在するように示されるが、電気コンポーネント１２１０,１２１２及び１２１４がメモリ１２２０の内部に存在することができることは理解されるべきである。
【００８８】
次に、図１３を参照して、制御領域のサイズの判定を容易にする例示的な方法を示すフローチャートが提供される。図示されるように、プロセス１３００は、対象となるスペシフィケイションの態様に従ってユーザ装置（例えば、無線端末９００）の様々なコンポーネントにより実行され得る一連のアクトを含む。プロセス１３００は、該一連のアクトを実装するためにコンピュータ読み取り可能な記憶媒体に記憶されるコンピュータ実行可能なインストラクションを実行するために少なくとも一つのプロセッサを使用することによって、実装されても良い。他の実施形態において、少なくとも一つのコンピュータにプロセス１３００のアクトを実装させるためのコードを含むコンピュータ読み取り可能な記憶媒体が考慮される。
【００８９】
一つの態様において、プロセス１３００は、アクト１３１０において無線端末が設定されることから始まる。ここでは、無線端末は、予め設定されても良く及び／又はネットワーク・エンティティーから受信されるインストラクションに従って動的に設定されても良い点に留意されるべきである。また、マルチキャリア・オペレーションが考慮されるので、続いて、アクト１３２０において、マルチキャリア通信がネットワーク・エンティティーから受信される。
【００９０】
先に述べたように、ネットワーク・エンティティーは、制御領域サイズを表示するための複数のアルゴリズムのうちの任意のものを実装し得る。一つの態様において、アクト１３１０における無線端末の設定は、ネットワーク・エンティティーにより実装される特定のアルゴリズムに従う。それは、インターリーバ・ベースのアルゴリズム及び制御領域サイズが制御信号の中に符号化されるアルゴリズムを含んでも良い。したがって、アクト１３３０において、プロセス１３００は、インターリーバ・ベースのアルゴリズムが実装されたかどうかの判定を含んでも良い。
【００９１】
インターリーバ・ベースのアルゴリズムが実際に実装されたならば、プロセス１３００はアクト１３４０に進み、ここでは、ネットワーク・エンティティーから受信されるリバース・インターリーブされた変調シンボルのセットが、デインターリーブされる。変調シンボルがデインターリーブされると、それから、アクト１３５０において、変調シンボルが復号化される。次に、アクト１３６０において、プロセス１３００は、インターリーバ・ベースのアルゴリズムに従って制御領域サイズが確認されることで完了する。
【００９２】
一つの態様において、インターリーバ・ベースのアルゴリズムが実装されていなかったならば、制御領域サイズは制御信号から復号化されても良い。そのような実施形態の中で、プロセス１３００はアクト１３３５に進んでも良く、ここでは、第１の制御領域（それは第１のキャリアに関連する）が復号化される。第１の制御領域が復号化されるならば、続いて、アクト１３４５において、第１の制御領域のアスペクトが処理され、続いて、アクト１３６０において、制御信号のアスペクトをデスクランブリングすることによって及び／又は第１の制御領域サイズを第２のキャリアに関連する第２の制御領域サイズと関連付けることによって、制御領域サイズが確認される。
【００９３】
次に、図１４を参照して、様々な態様に従って実装される例示的な通信システム１４００が提供される。該例示的な通信システム１４００は、次の複数のセルを含んでいる：セルＩ １４０２、セルＭ １４０４。ここでは、セル境界線領域１４６８により示されるように、近隣のセル１４０２,１４０４がわずかにオーバーラップし、それによって近隣のセル中の各基地局により送信される信号間の信号干渉の可能性を引き起こしている点に留意されるべきである。システム１４００の各々のセル１４０２,１４０４は、３つのセクターを含む。同様に、様々な態様に従って、複数のセクターに再分割されなかったセル（Ｎ＝１）、２つのセクターをもつセル（Ｎ＝２）及び３つを超えるセクターをもつセル（Ｎ＞３）も可能である。セル１４０２は、第１のセクター（セクターＩ １４１０）、第２のセクター（セクターＩＩ １４１２）及び第３のセクター（セクターＩＩＩ １４１４）を含む。各々のセクター１４１０,１４１２及び１４１４は、２つのセクター境界線領域を有する；各々の境界線領域は、２つの隣接するセクター間で共有される。
【００９４】
セクター境界線領域は、近隣のセクター中の基地局により送信される信号間の信号干渉の可能性を与える。ライン１４１６は、セクターｉ １４１０とセクターＩＩ １４１２との間のセクター境界線領域を表す；ライン１４１８は、セクターＩＩ １４１２とセクターＩＩＩ １４１４との間のセクター境界線領域を表す；ライン１４２０は、セクターＩＩＩ １４１４とセクター１ １４１０との間のセクター境界線領域を表す。同様に、セルＭ １４０４は、第１のセクター（セクターＩ １４２２）、第２のセクター（セクターＩＩ １４２４）及び第３のセクター（セクターＩＩＩ １４２６）を含む。ライン１４２８は、セクターｉ １４２２とセクターＩＩ １４２４との間のセクター境界線領域を表す；ライン１４３０は、セクターＩＩ １４２４とセクターＩＩＩ １４２６との間のセクター境界線領域を表す；ライン１４３２行は、セクターＩＩＩ １４２６とセクターｉ １４２２との間の境界線領域を表す。セルＩ １４０２は、基地局（ＢＳ）（基地局Ｉ １４０６）及び各々のセクター１４１０,１４１２,１４１４中の複数のエンドノード（ＥＮ）を含む。セクターＩ １４１０は、無線リンク１４４０,１４４２をそれぞれ介してＢＳ １４０６に接続されるＥＮ（１） １４３６及びＥＮ（Ｘ） １４３８を含む；セクターＩＩ １４１２は、無線リンク１４４８,１４５０をそれぞれ介してＢＳ １４０６に接続されるＥＮ（１’）１４４４及びＥＮ（Ｘ’）１４４６を含む；セクターＩＩＩ １４１４は、無線リンク１４５６,１４５８をそれぞれ介してＢＳ １４０６に接続されるＥＮ（１’’）１４５２及びＥＮ（Ｘ’’）１４５４を含む。同様に、セルＭ １４０４は、基地局Ｍ １４０８及び各々のセクター１４２２,１４２４及び１４２６中の複数のエンドノード（ＥＮ）を含む。セクターＩ １４２２は、無線リンク１４４０’，１４４２’をそれぞれ介してＢＳ Ｍ １４０８に接続されるＥＮ（１） １４３６’及びＥＮ（Ｘ） １４３８’を含む；セクターＩＩ １４２４は、無線リンク１４４８’，１４５０’をそれぞれ介してＢＳ Ｍ １４０８に接続されるＥＮ（１’） １４４４’及びＥＮ（Ｘ’） １４４６’を含む；セクター ３ １４２６は、無線リンク１４５６’，１４５８’をそれぞれ介してＢＳ １４０８に接続されるＥＮ（１’’） １４５２’及びＥＮ（Ｘ’’） １４５４’を含む。
【００９５】
システム１４００はまた、ネットワーク・リンク１４６２,１４６４をそれぞれ介してＢＳ Ｉ １４０６及びＢＳ Ｍ １４０８に接続されるネットワーク・ノード１４６０を含む。ネットワーク・ノード１４６０はまた、他のネットワーク・ノード（例えば、他の基地局、ＡＡＡサーバ・ノード、中間ノード、ルータなど）に接続され、また、ネットワーク・リンク１４６６を介してインターネットに接続される。ネットワーク・リンク１４６２,１４６４,１４６６は、例えば、光ファイバーケーブルであっても良い。各々のエンドノード（例えば、ＥＮ １ １４３６）は、受信機だけでなく送信機を含む無線端末であっても良い。無線端末（例えば、ＥＮ（１） １４３６）は、システム１４００全体にわたって移動しても良く、また、ＥＮが現在位置するセル中の基地局との無線リンクを介して通信しても良い。無線端末（ＷＴ）（例えば、ＥＮ（１） １４３６）は、基地局（例えば、ＢＳ １４０６）を介してピア・ノード（例えば、システム１４００中の又はシステム１４００の外部の他のＷＴ）と通信しても良く、及び／又は、ネットワーク・ノード１４６０と通信しても良い。ＷＴ（例えば、ＥＮ（１） １４３６）は、例えばセルラー電話、無線モデムをもつパーソナル・データ・アシスタントなどのような、モバイル通信デバイスであっても良い。それぞれの基地局は、ストリップ−シンボル期間のための方法を使用してトーン・サブセット割り当てを実行する。この方法は、残りの（rest）シンボル期間（例えば、非ストリップ−シンボル期間）におけるトーン割り当て及びトーン・ホッピングの判定のために使用される方法とは異なる方法である。無線端末は、それらが特定のストリップ−シンボル期間においてデータ及び情報を受信するために使用することができるトーンを判定するために、基地局から受信される情報（例えば、基地局のスロープＩＤ（slope ID）、セクターＩＤの情報）をトーン・サブセット割り当て方法とともに使用する。トーン・サブセット割り当てシーケンスは、インターセクター（inter-sector a）及びインターセル（inter-cell）干渉をそれぞれのトーンの全体にわたって分散させるための様々な態様に従って、構築される（constructed）。対象となるシステムがセルラー・モードのコンテキストの範囲内で主に説明されたが、複数のモードが本明細書で説明される態様に従って利用（available）及び使用（employable）され得ることは認識されるべきである。
【００９６】
図１５は、様々な態様に従った例示的な基地局１５００を示す。基地局１５００は、セルのそれぞれの異なるセクター・タイプのために生成される異なるトーン・サブセット割り当てシーケンスを実装する。基地局１５００は、図１４のシステム１４００の基地局１４０６,１４０８の任意の一つとして使用されても良い。基地局１５００は、バス１５０９により一緒に接続された、受信機１５０２、送信機１５０４、プロセッサ１５０６（例えば、ＣＰＵ）、入出力インタフェース１５０８及びメモリ１５１０を含む。各種のエレメント１５０２,１５０４,１５０６,１５０８及び１５１０は、バス１５０９の上でデータ及び情報を交換し得る。
【００９７】
受信機１５０２に接続されるセクタライズ・アンテナ１５０３は、該基地局のセルの中の各々のセクターからの無線端末の伝送から、データ及び他の信号（例えば、チャネル・レポート）を受信するために使用される。送信機１５０４に接続されるセクタライズ・アンテナ１５０５は、該基地局のセルの各々のセクターの中の無線端末１６００（図１６を参照）へ、データ及び他の信号（例えば、制御信号、パイロット信号、ビーコン信号など）を送信するために使用される。様々な態様において、基地局１５００は、複数の受信機１５０２及び複数の送信機１５０４を（例えば、各々のセクターのための個別の受信機１５０２及び各々のセクターのための個別の送信機１５０４）使用しても良い。プロセッサ１５０６は、例えば、汎用中央演算処理装置（ＣＰＵ）であっても良い。ロセッサ１５０６は、メモリ１５１０に記憶される１又は複数のルーチン１５１８の指示（direction）の下で基地局１５００のオペレーションを制御し、方法を実装する。Ｉ／Ｏインタフェース１５０８は、他の基地局、アクセス・ルータ、ＡＡＡサーバ・ノード、その他、他のネットワーク、及びインターネットへＢＳ １５００を接続させる、他のネットワーク・ノードへのコネクションを提供する。メモリ１５１０は、ルーチン群１５１８及びデータ／情報１５２０を含む。
【００９８】
データ／情報１５２０は、データ１５３６、ダウンリンク・ストリップ−シンボル時間情報（downlink strip-symbol time information）１５４０及びダウンリンク・トーン情報１５４２を含むトーン・サブセット割り当てシーケンス情報１５３８、及び、複数のＷＴ情報のセット（ＷＴ １情報１５４６及びＷＴ Ｎ情報１５６０）を含む無線端末（ＷＴ）データ／情報１５４４を含む。各々のＷＴ情報（例えば、ＷＴ １情報１５４６）のセットは、データ１５４８、端末ＩＤ １５５０、セクターＩＤ １５５２、アップリンク・チャネル情報１５５４、ダウンリンク・チャネル情報１５５６、及びモード情報１５５８を含む。
【００９９】
ルーチン群１５１８は、通信ルーチン群１５２２及び基地局制御ルーチン群１５２４を含む。基地局制御ルーチン群１５２４は、スケジューラ・モジュール１５２６、並びに、ストリップ−シンボル期間のためのトーン・サブセット割り当てルーチン１５３０、残りのシンボル期間（例えば、非ストリップ−シンボル期間）のための他のダウンリンク・トーン割り当てホッピング・ルーチン群１５３２及びビーコン・ルーチン１５３４を含むシグナリング・ルーチン１５２８を含む。
【０１００】
データ１５３６は、ＷＴへの送信に先立って符号化するために送信機１５０４の符号器１５１４に送られるであろう送信されるべきデータ、及び、受信の後で受信機１５０２の復号器１５１２により処理されたＷＴからの受信データを含む。ダウンリンク・ストリップ−シンボル時間情報１５４０は、フレーム同期構造情報（frame synchronization structure information）（例えば、スーパースロット、ビーコンスロット及びウルトラスロット構造情報）、及び、所与のシンボル期間がストリップ−シンボル期間であるかどうかを特定し、その場合はストリップ−シンボル期間のインデックスを特定し、更に、該ストリップ−シンボルが、基地局により使用されるトーン・サブセット割り当てシーケンスをトランケート（truncate）するためのリセット・ポイントであるかどうかを特定する情報を含む。ダウンリンク・トーン情報１５４２は、基地局１５００に割り当てられるキャリア周波数、トーンの数及び周波数、ストリップ−シンボル期間に割り当てられるトーン・サブセットのセット、及び、他のセル及びセクターに特有の値（例えば、スロープ、スロープ・インデックス及びセクター・タイプ）を含む情報を含む。
【０１０１】
データ１５４８は、ＷＴ１ １６００がピア・ノードから受信したデータ、ＷＴ １ １６００がピア・ノードに送信されることを望むデータ、及び、ダウンリンク・チャネル品質レポート・フィードバック情報を含んでも良い。端末ＩＤ １５５０は、基地局１５００が割り当てた、ＷＴ１ １６００を識別するＩＤである。セクターＩＤ １５５２は、ＷＴ１ １６００が動作しているセクターを識別する情報を含む。セクターＩＤ １５５２は、例えば、セクター・タイプを判定するのに使用されることができる。アップリンク・チャネル情報１５５４は、例えば、データのためのアップリンク・トラフィック・チャネル・セグメント、リクエストのための専用アップリンク制御チャネル（dedicated uplink control channels for requests）、電力制御、タイミング制御などを使用するために、スケジューラ１５２６によりＷＴ１ １６００に割り当てられたチャネル・セグメントを識別する情報を含む。ＷＴ１ １６００に割り当てられる各々のアップリンク・チャネルは、１又は複数の論理トーン（logical tone）を含む（各々の論理トーンは、アップリンク・ホッピング・シーケンスの後に続く）。ダウンリンク・チャネル情報１５５６は、データ及び／又は情報をＷＴ１ １６００へ運ぶためにスケジューラ１５２６により割り当てられたチャネル・セグメント（例えば、ユーザ・データのためのダウンリンク・トラフィックチャネル・セグメント）を識別する情報を含む。ＷＴ１ １６００に割り当てられる各々のダウンリンク・チャネルは、１又は複数の論理トーンを含む（各々はダウンリンク・ホッピング・シーケンスの後に続く）。モード情報１５５８は、ＷＴ１ １６００のオペレーションの状態（例えば、スリープ（sleep）、ホールド（hold）、オン（on））を識別する情報を含む。
【０１０２】
通信ルーチン１５２２は、様々な通信オペレーションを実行し、様々な通信プロトコルを実装するように、基地局１５００を制御する。基地局制御ルーチン１５２４は、基本的な基地局の機能的なタスク（例えば、信号の生成及び受信、スケジューリング）を実行し、ストリップ−シンボル期間の間にトーン・サブセット割り当てシーケンスを使用して無線端末に信号を送信することを含む幾つかの態様の方法のステップを実装するように、基地局１５００を制御するために使用される。
【０１０３】
シグナリング・ルーチン１５２８は、その復号器１５１２をもつ受信機１５０２及びその符号器１５１４をもつ送信機１５０４のオペレーションを制御する。シグナリング・ルーチン１５２８は、送信データ１５３６及び制御情報の生成を制御する役割を果たす（responsible）。トーン・サブセット割り当てルーチン１５３０は、態様の方法を使用して、及び、ダウンリンク・ストリップ−シンボル時間情報１５４０及びセクターＩＤ １５５２を含むデータ／情報１５２０を使用して、ストリップ−シンボル期間において使用されるべきトーン・サブセットを構築する。ダウンリンク・トーン・サブセット割り当てシーケンスは、一つのセルにおける各々のセクター・タイプごとに異なり、また、隣接するセルについて異なるであろう。ＷＴ １６００は、ダウンリンク・トーン・サブセット割り当てシーケンスに従って、ストリップ−シンボル期間において、信号を受信する；基地局１５００は、送信信号を生成するために、同一のダウンリンク・トーン・サブセット割り当てシーケンスを使用する。他のダウンリンク・トーン割り当てホッピング・ルーチン１５３２は、ストリップ−シンボル期間以外のシンボル期間について、ダウンリンク・トーン情報１５４２及びダウンリンク・チャネル情報１５５６を含む情報を使用して、ダウンリンク・トーン・ホッピング・シーケンスを構築する。ダウンリンク・データ・トーン・ホッピング・シーケンスは、セルのセクターの全体にわたって同期する。ビーコン・ルーチン１５３４は、ビーコン信号（例えば、１又は２〜３のトーンに集中する比較的高出力の信号）の送信を制御する。それは、同期の目的で、例えば、ウルトラスロット境界線に関して、ダウンリンク信号、したがってトーン・サブセット割り当てシーケンスのフレーム・タイミング構造を同期させるために、使用されても良い。
【０１０４】
例示的な無線端末
図１６は、図１４に示されるシステム１４００の無線端末（エンド・ノード）のうちの任意の一つ（例えば、ＥＮ（１） １４３６）として使用されることができる例示的な無線端末（エンド・ノード）１６００を示す。無線端末１６００は、トーン・サブセット割り当てシーケンスを実装する。無線端末１６００は、バス１６１０により一緒に接続された、復号器１６１２を含む受信機１６０２、符号器１６１４を含む送信機１６０４、プロセッサ１６０６及びメモリ１６０８を含む。各種のエレメント１６０２,１６０４,１６０６,１６０８は、バス１６１０の上でデータ及び情報を交換することができる。基地局（及び／又は異なる無線端末）から信号を受信するために使用されるアンテナ１６０３が、受信機１６０２に接続される。信号を例えば基地局（及び／又は異なる無線端末）へ送信するために使用されるアンテナ１６０５が、送信機１６０４に接続される。
【０１０５】
プロセッサ１６０６（例えば、ＣＰＵ）は、メモリ１６０８中のルーチン群１６２０を実行すること及びデータ／情報１６２２を使用することによって、無線端末１６００のオペレーションを制御し、方法を実装する。
【０１０６】
データ／情報１６２２は、ユーザ・データ１６３４、ユーザ情報１６３６、及びトーン・サブセット割り当てシーケンス情報１６５０を含む。ユーザ・データ１６３４は、送信機１６０４による基地局への送信に先立って符号化するために符号器１６１４に送られるであろう、ピア・ノードに向けられたデータ、及び、受信機１６０２において復号器１６１２により処理された、基地局からの受信データを含んでも良い。ユーザ情報１６３６は、アップリンク・チャネル情報１６３８、ダウンリンク・チャネル情報１６４０、端末ＩＤ情報１６４２、基地局ＩＤ情報１６４４、セクターＩＤ情報１６４６、及びモード情報１６４８を含む。アップリンク・チャネル情報１６３８は、基地局への送信時に使用するために、無線端末１６００のために基地局により割り当てられたアップリンク・チャネル・セグメントを識別する情報を含む。アップリンク・チャネルは、アップリンク・トラフィック・チャネル、専用アップリンク制御チャネル（例えば、リクエスト・チャネル）、電力制御チャネル及びタイミング制御チャネルを含んでも良い。各々のアップリンク・チャネルは、１又は複数の論理トーンを含む。各々の論理トーンは、アップリンク・トーン・ホッピング・シーケンスの後に続く。アップリンク・ホッピング・シーケンスは、一つのセルの各々のセクター・タイプの間で、そして、隣接するセルの間で、異なる。ダウンリンク・チャネル情報１６４０は、基地局がＷＴ １６００へデータ／情報を送信しているときに使用するために、ＷＴ １６００へ基地局により割り当てられていたダウンリンク・チャネル・セグメントを識別する情報を含む。ダウンリンク・チャネルは、ダウンリンク・トラフィック・チャネル及び割り当てチャネルを含んでも良い。各々のダウンリンク・チャネルは、１又は複数の論理トーンを含む。各々の論理トーンは、ダウンリンク・ホッピング・シーケンスの後に続く。ダウンリンク・ホッピング・シーケンスは、セルの各々のセクターの間で同期する。
【０１０７】
ユーザ情報１６３６はまた、基地局により割り当てられた識別情報である端末ＩＤ情報１６４２、ＷＴがそれとの通信を確立した特定の基地局を識別する基地局ＩＤ情報１６４４、及びＷＴ １６００が現在位置するセルの特定のセクターを識別するセクターＩＤ情報１６４６を含む。基地局ＩＤ １６４４は、セル・スロープ値（cell slope value）を提供し、セクターＩＤ情報１６４６は、セクター・インデックス・タイプを提供する；セル・スロープ値及びセクター・インデックス・タイプは、トーン・ホッピング・シーケンスを得るために使用され得る。また、ユーザ情報１６３６に含まれるモード情報１６４８は、ＷＴ １６００がスリープ・モードにあるか、ホールド・モードにあるか、又は、オン・モードにあるかについて識別する。
【０１０８】
トーン・サブセット割り当てシーケンス情報１６５０は、ダウンリンク・ストリップ−シンボル時間情報１６５２及びダウンリンク・トーン情報１６５４を含む。ダウンリンク・ストリップ−シンボル時間情報１６５２は、フレーム同期構造情報（例えば、スーパースロット、ビーコンスロット及びウルトラスロット構造情報）、及び、所与のシンボル期間がストリップ−シンボル期間であるかどうかを特定し、その場合はストリップ−シンボル期間のインデックスを特定し、更に、該ストリップ−シンボルが、基地局により使用されるトーン・サブセット割り当てシーケンスをトランケートするためのリセット・ポイントであるかどうかを特定する情報を含む。ダウンリンク・トーン情報１６５４は、基地局に割り当てられるキャリア周波数、トーンの数及び周波数、ストリップ−シンボル期間に割り当てられるトーン・サブセットのセット、及び、他のセル及びセクターに特有の値（例えば、スロープ、スロープ・インデックス及びセクター・タイプ）を含む情報を含む。
【０１０９】
ルーチン群１６２０は、通信ルーチン群１６２４及び無線端末制御ルーチン群１６２６を含む。通信ルーチン群１６２４は、ＷＴ １６００により使用される様々な通信プロトコルを制御する。無線端末制御ルーチン群１６２６は、受信機１６０２及び送信機１６０４の制御を含む基本的な無線端末１６００の機能性を制御する。無線端末制御ルーチン群１６２６は、シグナリング・ルーチン１６２８を含む。シグナリング・ルーチン１６２８は、ストリップ−シンボル期間のためのトーン・サブセット割り当てルーチン１６３０、及び、残りのシンボル期間（例えば、非ストリップ−シンボル期間）のための他のダウンリンク・トーン割り当てホッピング・ルーチン１６３２を含む。トーン・サブセット割り当てルーチン１６３０は、幾つかの態様に従ってダウンリンク・トーン・サブセット割り当てシーケンスを生成し、基地局から送信された受信データを処理するために、ダウンリンク・チャネル情報１６４０、基地局ＩＤ情報１６４４（例えば、スロープ・インデックス及びセクター・タイプ）、及び、ダウンリンク・トーン情報１６５４を含むユーザ・データ／情報１６２２を使用する。他のダウンリンク・トーン割り当てホッピング・ルーチン１６３０は、ストリップ−シンボル期間以外のシンボル期間について、ダウンリンク・トーン情報１６５４及びダウンリンク・チャネル情報１６４０を含む情報を使用して、ダウンリンク・トーン・ホッピング・シーケンスを構築する。トーン・サブセット割り当てルーチン１６３０は、プロセッサ１６０６により実行されるときに、無線端末１６００が、いつ、そして、いずれのトーンの上で、基地局１５００から１又は複数のストリップ−シンボル信号を受信するべきかについて判定するために使用される。アップリンク・トーン割り当てホッピング・ルーチン１６３０は、いずれのトーンにおいてそれが送信されるべきか判定するために、基地局から受信される情報とともに、トーン・サブセット割り当て機能を使用する。
【０１１０】
１又は複数の例示的な実施形態において、説明される機能は、ハードウェア、ソフトウェア、ファームウェア又はそれらの任意の組み合せにおいて実装されても良い。ソフトウェアで実装される場合には、該機能は、コンピュータ読み取り可能な媒体上の１又は複数のインストラクション又はコードとして格納され又は伝送されても良い。コンピュータ読み取り可能な媒体（computer-readable media）は、コンピュータ記憶媒体（computer storage media）及び通信媒体（communication media）の両方を含み、或る場所から他の場所へのコンピュータ・プログラムの転送を容易にする任意の媒体を含む。記憶媒体は、コンピュータによってアクセスできる任意の利用可能な媒体であっても良い。制限としてではなく例として、そのようなコンピュータ読み取り可能な媒体は、ＲＡＭ、ＲＯＭ、ＥＥＰＲＯＭ、ＣＤ−ＲＯＭ又は他の光ディスク記憶装置、磁気ディスク記憶装置又は他の磁気記憶装置、又は、インストラクション又はデータ構造の形で所望のプログラム・コードを運ぶ又は記憶するために使用されることができ且つコンピュータによりアクセスされることができる任意の他の媒体を含むことができる。また、任意のコネクションは、適切にコンピュータ読み取り可能な媒体と呼ばれる。例えば、同軸ケーブル、光ファイバーケーブル、ツイストペア、デジタル加入者線（ＤＳＬ）、又は、例えば赤外線、無線及びマイクロ波のような無線技術を使用することによって、ウェブサイト、サーバ、又は他のリモートソースからソフトウェアが送信される場合に、その同軸ケーブル、光ファイバーケーブル、ツイストペア、ＤＳＬ、又は、例えば赤外線、無線及びはマイクロ波のような無線技術は、媒体の定義に含まれる。本明細書で用いられるディスク（Disk）及びディスク（disc）は、コンパクトディスク（ＣＤ）、レーザーディスク（登録商標）、光ディスク、デジタル・バーサタイル・ディスク（ＤＶＤ）、フロッピー（登録商標）ディスク及びブルーレイディスク（登録商標）を含む。ここで、ディスク（disks）は、通常、磁気的にデータを再生（reproduce）し、一方、ディスク（discs）は、レーザーを使って光学的にデータを再生する。上記の組み合わせはまた、コンピュータ読み取り可能な媒
体の範囲の中に含まれるべきである。
【０１１１】
実施形態がプログラム・コード又はコード・セグメントで実装されるとき、コード・セグメントは、手続き、関数、サブプログラム、プログラム、ルーチン、サブルーチン、モジュール、ソフトウェア・パッケージ、クラスを表すことができ、又は、インストラクション、データ構造若しくはプログラム・ステートメントの任意の組合せを表すことができる。コード・セグメントは、情報、データ、引数、パラメータ又はメモリ内容をパス及び／又は受信することによって、他のコード・セグメント又はハードウェア回路に接続されることができる。情報、引数、パラメータ、データなどは、メモリ共有、メッセージ・パッシング、トークン・パッシング、ネットワーク伝送など含む任意の適当な手段を用いて、パス、転送又は送信されることができる。さらに、幾つかの態様において、方法又はアルゴリズムのステップ及び／又はアクションは、機械読み取り可能な媒体及び／又はコンピュータ読み取り可能な媒体の上のコード及び／又はインストラクションのセットの一つ又は任意の組み合せとして存在することができる。そして、それは、コンピュータ・プログラム製品に組み込まれることができる。
【０１１２】
ソフトウェア実装については、本明細書で説明される技術は、本明細書で説明される機能を実行するモジュール（例えば、手続き、関数、その他）で実装されることができる。ソフトウェア・コードは、メモリ・ユニットに記憶されて、プロセッサにより実行されることができる。メモリ・ユニットは、プロセッサの内部又は外部に実装されることが可能であり、その場合には、それは、当該技術分野において知られている様々な手段を通じて該プロセッサに通信で接続されることができる。
【０１１３】
ハードウェア実装については、処理ユニットは、１又は複数の特定用途向けＩＣ（ＡＳＩＣ）、デジタルシグナルプロセッサ（ＤＳＰ）、デジタル信号処理装置（ＤＳＰＤ）、プログラマブル・ロジック・デバイス（ＰＬＤ）、フィールド・プログラマブル・ゲート・アレイ（ＦＰＧＡｓ）、プロセッサ、コントローラ、マイクロコントローラ、マイクロプロセッサ、本明細書で説明された機能を実行するようにデザインされた他の電子ユニット、又はそれらの組合せの中で実装されることができる。
【０１１４】
上に説明されたことは、一つ又は複数の実施形態の例を含む。前述の実施形態を説明することを目的としてコンポーネント又は手順の考えられる組み合わせをすべて説明することはもちろん可能ではないが、様々な実施形態の多数のさらなる組み合わせ又は置換が可能であることを当業者は認識できる。したがって、説明された実施形態は、添付のクレームの精神及び範囲内に含まれるそのような変更、修正及び変形をすべて包含することを意図されている。さらに、語句“含む（includes）”が詳細な説明又はクレームのいずれかにおいて使用される範囲内において、上記語句は、語句“備える、含む（comprising）”がクレームにおいてつなぎ詞（transitional word）として用いられた場合に“備える、含む（comprising）”として解釈されるのと同様の方法で、包括的であることを意図されている。
【０１１５】
本明細書で用いられるように、用語“推論する（infer）”又は“推論（inference）”は、一般に、イベント及び／又はデータを通して捕捉された一連の観測から、システム、環境及び／又はユーザの状態を推論（reasoning about）又は推論（inferring）するプロセスを指す。例えば、推論は、特定の状況（context）又はアクションを特定するために用いることができ、また、状態上の確率分布（probability distribution over states）を生成することができる。推論は、確率的であっても良い、すなわち、データ及びイベントの考慮に基づく、対象の状態上の確率分布の計算であっても良い。また、推論は、一連のイベント及び／又はデータから、よりハイレベルなイベントを構成するために用いられる技術を指すことができる。そのような推論は、一連の観測されたイベント及び／又は記憶されたイベントデータからの新たなイベント又はアクションの構築を、該イベントが緊密な時間的近接性と相関性があるかどうかにかかわらず且つ該イベント及びデータが一つ又は幾つかのイベント及びデータソースに由来しているかどうかにかかわらず、もたらす。
【０１１６】
さらに、この出願において用いられる用語“コンポーネント（component）”、“モジュール（module）”、“システム（system）”及び同類のものは、コンピュータ関連のエンティティーである、ハードウェア、ファームウェア、ハードウェアとソフトウェアの組み合わせ、ソフトウェア又は実行中のソフトウェアのいずれをも指すことを意図されている。例えば、コンポーネントは、プロセッサ上で動作するプロセス、プロセッサ、オブジェクト、実行ファイル（executable）、実行のスレッド、プログラム、及び／又は、コンピュータであっても良い（ただし、これらに制限されるものではない）。例として、コンピュータデバイス上で動作するアプリケーションと、そのコンピュータデバイスの両方とも、コンポーネントであり得る。１又は複数のコンポーネントがプロセス及び／又は実行のスレッドの内部に存在することができ、また、一つのコンポーネントが一つのコンピュータに局在し及び／又は２以上のコンピュータ間に分散されることができる。加えて、これらコンポーネントは、様々なデータ構造を記録した様々なコンピュータ読み取り可能な媒体から実行することができる。それらコンポーネントは、例えば、１又は複数のデータパケット（例えば、その信号を経由して、ローカルシステムにおいて、分散システムにおいて及び／又は例えば他のシステムをともなうインターネットのようなネットワークを横切って、他のコンポーネントとインタラクトする、一つのコンポーネントからのデータ）を持つ信号に従うような、ローカルプロセス及び／又はリモートプロセスを経由して、通信することができる。
以下に、本願出願の当初の特許請求の範囲に記載された各請求項に対応する発明を付記する。 
［１］制御領域のサイズの表示を容易にする方法において、該方法は、 
第１のキャリア及び第２のキャリアにより容易にされるマルチキャリア通信を確立することと、 
前記第１のキャリアに関連する第１の制御領域サイズ及び前記第２のキャリアに関連する第２の制御領域サイズを確認することと、 
制御信号を生成することと、ここで、該生成することは、前記第２の制御領域サイズに基づいて前記制御信号のアスペクトをスクランブリングすることと、前記第２の制御領域サイズを前記第１の制御領域サイズと関連付けることのうちの少なくとも一つを含む、 
少なくとも一つのユーザ装置のために前記第２のキャリアの上の前記マルチキャリア通信をサポートするために、前記第１のキャリアの上で前記制御信号を送信することを含む方法。 
［２］前記制御信号のアスペクトは、巡回冗長検査である［１］の方法。 
［３］前記第２の制御領域サイズを前記第１のキャリアの上へ符号化することを更に含む請求項１の方法。 
［４］前記送信することは、前記第２の制御領域サイズを第１のキャリアの上へ符号化するために、未使用の資源エレメント・グループを割り当てることを含み、 
前記未使用の資源エレメント・グループは、資源エレメント・グループのシーケンスに含まれ、且つ、使用済みの資源エレメント・グループの後に存在する［３］の方法。 
［５］前記使用済みの資源エレメント・グループは、前記第１のキャリアに割り当てられ、 
前記使用済みの資源エレメント・グループは、物理制御フォーマット表示チャネル、物理ハイブリッド自動再送リクエスト表示チャネル又は物理ダウンリンク制御チャネルのうちの少なくとも一つに関連する［４］の方法。 
［６］前記送信することは、前記第２の制御領域サイズを前記第１のキャリアの上へ符号化するための資源を割り当てることを含み、 
前記資源は、制御チャネル・エレメントのシーケンスにおける制御チャネル・エレメントの最後のセットのうちの少なくとも一つであり、 
前記制御チャネル・エレメントの最後のセットは、物理ダウンリンク制御チャネルに関連する［３］の方法。 
［７］前記送信することは、前記第２の制御領域サイズを前記第１のキャリアの上へ符号化するための資源を割り当てることを含み、 
前記資源は、物理ハイブリッド自動再送リクエスト表示チャネルに関連する［３］の方法。 
［８］前記送信することは、前記第１のキャリアのデータ領域において前記第２の制御領域サイズを伝達することを含み、 
前記伝達することは、予め定められたパターンに従って、クロスキャリア通信の間に、起こり、 
物理ダウンリンク制御チャネル伝送は、前記第１のキャリアの上で送信され、物理ダウンリンク共有チャネル伝送は、前記第２のキャリアの上で送信される［３］の方法。 
［９］前記第１のキャリアの前記データ領域を使用して、前記物理ダウンリンク共有チャネル伝送をパンクチャーリングすることを更に含む［８］の方法。 
［１０］前記第１のキャリアの前記データ領域を使用して、前記物理ダウンリンク共有チャネル伝送をレート・マッチングすることを更に含む［８］の方法。 
［１１］前記関連付けることは、前記第１の制御領域サイズがクロスキャリア通信の間において前記第２の制御領域サイズと等しいと仮定するように、前記少なくとも一つのユーザ装置を設定することを含み、 
物理ダウンリンク制御チャネル伝送は、前記第１のキャリアの上で送信され、物理ダウンリンク共有チャネル伝送は、前記第２のキャリアの上で送信される［１］の方法。 
［１２］制御領域のサイズの表示を容易にするように構成される装置において、該装置は、 
メモリに記憶されたコンピュータ実行可能なコンポーネントを実行するように構成されるプロセッサを含み、該コンポーネントは、 
マルチキャリア通信を介して制御信号を通信するように構成される通信コンポーネントと、ここで、該制御信号は、少なくとも一つのユーザ装置のために第２のキャリアの上で該マルチキャリア通信をサポートするために、第１のキャリアの上で送信される、 
前記第１のキャリアに関連する第１の制御領域サイズ及び前記第２のキャリアに関連する第２の制御領域サイズを確認するように構成される制御フォーマット・コンポーネントと、 
前記第２の制御領域サイズに基づいて前記制御信号のアスペクトをスクランブリングすることと、前記第２の制御領域サイズを前記第１の制御領域サイズと関連付けることのうちの少なくとも一つを実行することによって、前記制御信号を生成するように構成される生成コンポーネントとを含む装置。 
［１３］前記生成コンポーネントは、前記第２のキャリア上の汎用の物理制御フォーマット表示チャネル値を提供するように更に構成される［１２］の装置。 
［１４］物理制御フォーマット表示チャネル値のクロスキャリア数は、物理制御フォーマット表示チャネル値の同一キャリア数とは異なる［１３］の装置。 
［１５］前記生成コンポーネントは、前記第２の制御領域サイズを前記第１のキャリアの上へ符号化するように構成される［１２］の装置。 
［１６］前記第２の制御領域サイズを前記第１のキャリアの上へ符号化するための資源を割り当てるように構成される割り当てコンポーネントを更に含む［１５］の装置。 
［１７］前記資源は、資源エレメント・グループのシーケンスにおける未使用の資源エレメントであり、 
前記未使用の資源エレメント・グループは、使用済みの資源エレメント・グループの後に存在する［１６］の装置。 
［１８］前記割り当てコンポーネントは、前記使用済みの資源エレメント・グループを前記第１のキャリアに割り当てるように構成され、 
前記使用済みの資源エレメント・グループは、物理制御フォーマット表示チャネル、物理ハイブリッド自動再送リクエスト表示チャネル又は物理ダウンリンク制御チャネルのうちの少なくとも一つに関連する［１７］の装置。 
［１９］前記資源は、制御チャネル・エレメントのシーケンスにおける制御チャネル・エレメントの最後のセットのうちの少なくとも一つであり、 
前記制御チャネル・エレメントの最後のセットは、物理ダウンリンク制御チャネルに関連する［１６］の装置。 
［２０］前記資源は、物理ハイブリッド自動再送リクエスト表示チャネルに関連する［１６］の装置。 
［２１］前記生成コンポーネントは、予め定められたパターンに従って、クロスキャリア通信の間に、前記第１のキャリアのデータ領域において前記第２の制御領域サイズを伝達するように構成され、 
前記通信コンポーネントは、前記第１のキャリアの上で物理ダウンリンク制御チャネル伝送を送信するように構成され、また、前記通信コンポーネントは、前記第２のキャリアの上で物理ダウンリンク共有チャネル伝送を送信するように構成される［１５］の装置。 
［２２］前記生成コンポーネントは、前記第１のキャリアの前記データ領域を使用して、前記物理ダウンリンク共有チャネル伝送をパンクチャーリングするように、又は、前記第１のキャリアの前記データ領域を使用して、前記物理ダウンリンク共有チャネル伝送をレート・マッチングするように構成される［２１］の装置。 
［２３］前記生成コンポーネントは、前記第１の制御領域サイズがクロスキャリア通信の間において前記第２の制御領域サイズと等しいと仮定するように、前記少なくとも一つのユーザ装置を設定することによって、前記関連付けを実行するように構成され、 
前記通信コンポーネントは、前記第１のキャリアの上で物理ダウンリンク制御チャネル伝送を送信するように構成され、また、前記通信コンポーネントは、前記第２のキャリアの上で物理ダウンリンク共有チャネル伝送を送信するように構成される［１２］の装置。 
［２４］制御領域のサイズの表示を容易にするコンピュータ・プログラム製品において、 
少なくとも一つのコンピュータに、 
第１のキャリア及び第２のキャリアにより容易にされるマルチキャリア通信を確立させ、 
前記第１のキャリアに関係する第１の制御領域サイズ及び前記第２のキャリアに関係する第２の制御領域サイズを判定させ、 
前記第２の制御領域サイズに基づいて前記制御信号のアスペクトをスクランブリングすることと、前記第２の制御領域サイズを前記第１の制御領域サイズと関連付けることのうちの少なくとも一つを実行することによって、制御信号を提供させ、 
少なくとも一つのユーザ装置のために前記第２のキャリアの上の前記マルチキャリア通信をサポートするために、前記第１のキャリアの上で前記制御信号を通信させるためのコードを含むコンピュータ読み取り可能な記憶媒体を含むコンピュータ・プログラム製品。 
［２５］前記コードは、更に、前記少なくとも一つのコンピュータに、前記第２の制御領域サイズを前記第１のキャリアの上へ符号化させる［２４］のコンピュータ・プログラム製品。 
［２６］前記コードは、更に、前記少なくとも一つのコンピュータに、前記第２の制御領域サイズを前記第１のキャリアの上へ符号化するための資源を割り当てさせる［２５］のコンピュータ・プログラム製品。 
［２７］前記資源は、資源エレメント・グループのシーケンスにおける未使用の資源エレメントであり、 
前記未使用の資源エレメント・グループは、使用済みの資源エレメント・グループの後に存在する［２６］のコンピュータ・プログラム製品。 
［２８］前記コードは、更に、前記少なくとも一つのコンピュータに、前記使用済みの資源エレメント・グループを前記第１のキャリアに割り当させ、 
前記使用済みの資源エレメント・グループは、物理制御フォーマット表示チャネル、物理ハイブリッド自動再送リクエスト表示チャネル又は物理ダウンリンク制御チャネルのうちの少なくとも一つに関連する［２７］のコンピュータ・プログラム製品。 
［２９］前記資源は、制御チャネル・エレメントのシーケンスにおける制御チャネル・エレメントの最後のセットのうちの少なくとも一つであり、 
前記制御チャネル・エレメントの最後のセットは、物理ダウンリンク制御チャネルに関連する［２６］のコンピュータ・プログラム製品。 
［３０］前記資源は、物理ハイブリッド自動再送リクエスト表示チャネルに関連する［２６］のコンピュータ・プログラム製品。 
［３１］制御領域のサイズの表示を容易にするように構成される装置において、該装置は、 
マルチキャリア通信を介して制御信号を送信するための手段と、ここで、該制御信号は、少なくとも一つのユーザ装置のために第２のキャリアの上で該マルチキャリア通信をサポートするために、第１のキャリアの上で送信される、 
前記第１のキャリアに関連する第１の制御領域サイズ及び前記第２のキャリアに関連する第２の制御領域サイズを判定するための手段と、 
前記第２の制御領域サイズに基づいて前記制御信号のアスペクトをスクランブリングすることと、前記第２の制御領域サイズを前記第１の制御領域サイズと関連付けることのうちの少なくとも一つを実行することによって、前記制御信号を生成するための手段とを含む装置。 
［３２］前記制御信号のアスペクトは、巡回冗長検査である［３１］の装置。 
［３３］前記制御信号を生成するための手段は、前記第１の制御領域サイズがクロスキャリア通信の間において前記第２の制御領域サイズと等しいと仮定するように、前記少なくとも一つのユーザ装置を設定することによって、前記関連付けを実行するように構成され、 
前記送信するための手段は、前記第１のキャリアの上で物理ダウンリンク制御チャネル伝送を送信するように構成され、また、前記送信するための手段は、前記第２のキャリアの上で物理ダウンリンク共有チャネル伝送を送信するように構成される［３１］の装置。 
［３４］制御領域のサイズの表示を容易にする方法において、該方法は、 
第１のキャリア及び第２のキャリアにより容易にされる少なくとも一つのユーザ装置とのマルチキャリア通信を確立することと、 
変調シンボルのセットを、最後のデータシンボルから始まり且つ最初の利用可能なデータシンボルで終わるようにマッピングするように構成されるリバース・インターリーバを実行することと、 
前記変調シンボルのセットを前記少なくとも一つのユーザ装置へ送信することを含む方法。 
［３５］前記変調シンボルのセットは、物理ダウンリンク共有チャネルに関連する［３４］の方法。 
［３６］前記リバース・インターリーバは、最初に周波数、２番目に時間のインターリーブ・スキームに従って、前記変調シンボルのセットをマッピングする［３４］の方法。 
［３７］制御領域のサイズの表示を容易にするように構成される装置において、該装置は、 
メモリに記憶されたコンピュータ実行可能なコンポーネントを実行するように構成されるプロセッサを含み、該コンポーネントは、 
変調シンボルのセットを、最後のデータシンボルから始まり且つ最初の利用可能なデータシンボルで終わるようにマッピングするように構成されるリバース・インターリーバ・コンポーネントと、 
第１のキャリア及び第２のキャリアにより容易にされるマルチキャリア通信を介して、前記変調シンボルのセットを少なくとも一つのユーザ装置へ送信するように構成される通信コンポーネントとを含む装置。 
［３８］前記変調シンボルのセットは、物理ダウンリンク共有チャネルに関連する［３７］の装置。 
［３９］前記リバース・インターリーバ・コンポーネントは、最初に周波数、２番目に時間のインターリーブ・スキームに従って、前記変調シンボルのセットをマッピングするように構成される［３７］の装置。 
［４０］制御領域のサイズの表示を容易にするコンピュータ・プログラム製品において、 
少なくとも一つのコンピュータに、 
第１のキャリア及び第２のキャリアにより容易にされる少なくとも一つのユーザ装置とのマルチキャリア通信を確立させ、 
変調シンボルのセットを、逆の順番でインターリーブさせ、ここで、該変調シンボルのセットは、最後のデータシンボルから始まり且つ最初の利用可能なデータシンボルで終わるようにマッピングされる、 
前記変調シンボルのセットを前記少なくとも一つのユーザ装置へ通信させるためのコードを含むコンピュータ読み取り可能な記憶媒体を含むコンピュータ・プログラム製品。 
［４１］前記コードは、更に、前記少なくとも一つのコンピュータに、最初に周波数、２番目に時間のインターリーブ・スキームに従って、前記変調シンボルのセットをマッピングさせる［４０］のコンピュータ・プログラム製品。 
［４２］制御領域のサイズの表示を容易にするように構成される装置において、該装置は、 
変調シンボルのセットをリバース・インターリーブするための手段と、ここで、該変調シンボルのセットは、最後のデータシンボルから始まり且つ最初の利用可能なデータシンボルで終わるようにマッピングされる、 
第１のキャリア及び第２のキャリアにより容易にされるマルチキャリア通信を介して、前記変調シンボルのセットを少なくとも一つのユーザ装置へ提供するための手段とを含む装置。 
［４３］前記変調シンボルのセットは、物理ダウンリンク共有チャネルに関連する［４２］の装置。 
［４４］制御領域のサイズの判定を容易にする方法において、該方法は、 
第１のキャリア及び第２のキャリアを監視するようにユーザ装置（ＵＥ）を設定することと、 
第１の制御領域サイズを有する前記第１のキャリア及び第２の制御領域サイズを有する前記第２のキャリアを介して制御信号を受信することと、 
前記第１の制御領域サイズ及び前記第２の制御領域サイズを確認することを含み、 
前記確認することは、前記制御信号のアスペクトをデスクランブリングすること又は前記第２の制御領域サイズを前記第１の制御領域サイズと関連付けることのうちの少なくとも一つを含む方法。 
［４５］前記制御信号のアスペクトは、巡回冗長検査である［４４］の方法。 
［４６］前記第１のキャリアから前記第２の制御領域サイズを復号化することを更に含む［４４］の方法。 
［４７］前記関連付けることは、前記第１の制御領域サイズがクロスキャリア通信の間において前記第２の制御領域サイズと等しいと仮定することを含み、 
物理ダウンリンク制御チャネルは、前記第１のキャリアを介して受信され、物理ダウンリンク共有チャネルは、前記第２のキャリアを介して受信される［４４］の方法。 
［４８］制御領域のサイズの判定を容易にするように構成される装置において、該装置は、 
メモリに記憶されたコンピュータ実行可能なコンポーネントを実行するように構成されるプロセッサを含み、該コンポーネントは、 
第１のキャリア及び第２のキャリアを監視するようにユーザ装置（ＵＥ）に指示するように構成される設定コンポーネントと、 
第１の制御領域サイズを有する前記第１のキャリア及び第２の制御領域サイズを有する前記第２のキャリアを介して制御信号を受信するように構成される通信コンポーネントと、 
前記制御信号のアスペクトをデスクランブリングすること又は前記第２の制御領域サイズを前記第１の制御領域サイズと関連付けることのうちの少なくとも一つを実行することによって、前記第１の制御領域サイズ及び前記第２の制御領域サイズを判定するように構成される復号化コンポーネントとを含む装置。 
［４９］前記制御信号のアスペクトは、巡回冗長検査である［４８］の装置。 
［５０］前記復号化コンポーネントは、前記第１のキャリアから前記第２の制御領域サイズを復号化するように構成される［４８］の装置。 
［５１］前記復号化コンポーネントは、前記第１の制御領域サイズがクロスキャリア通信の間において前記第２の制御領域サイズと等しいと仮定するように構成され、 
物理ダウンリンク制御チャネルは、前記第１のキャリアを介して受信され、物理ダウンリンク共有チャネルは、前記第２のキャリアを介して受信される［４８］の装置。 
［５２］制御領域のサイズの判定を容易にするコンピュータ・プログラム製品において、 
少なくとも一つのコンピュータに、 
第１のキャリア及び第２のキャリアを監視するようにユーザ装置（ＵＥ）を設定させ、 
第１の制御領域サイズを有する前記第１のキャリア及び第２の制御領域サイズを有する前記第２のキャリアを介して制御信号を受信させ、 
前記制御信号のアスペクトをデスクランブリングすること又は前記第２の制御領域サイズを前記第１の制御領域サイズと関連付けることのうちの少なくとも一つを実行することによって、前記第１の制御領域サイズ及び前記第２の制御領域サイズを判定するように構成させるためのコードを含むコンピュータ読み取り可能な記憶媒体を含むコンピュータ・プログラム製品。 
［５３］前記コードは、更に、前記少なくとも一つのコンピュータに、前記第１の制御領域サイズがクロスキャリア通信の間において前記第２の制御領域サイズと等しいと仮定させ、 
物理ダウンリンク制御チャネルは、前記第１のキャリアを介して受信され、物理ダウンリンク共有チャネルは、前記第２のキャリアを介して受信される［５２］のコンピュータ・プログラム製品。 
［５４］制御領域のサイズの判定を容易にするように構成される装置において、該装置は、 
第１のキャリア及び第２のキャリアを監視するようにユーザ装置（ＵＥ）を初期化するための手段と、 
第１の制御領域サイズを有する前記第１のキャリア及び第２の制御領域サイズを有する前記第２のキャリアを介して制御信号を受信するための手段と、 
前記第１の制御領域サイズ及び前記第２の制御領域サイズを確認するための手段とを含み、該確認することは、前記制御信号のアスペクトをデスクランブリングすること又は前記第２の制御領域サイズを前記第１の制御領域サイズと関連付けることのうちの少なくとも一つを含む装置。 
［５５］前記第１のキャリアから前記第２の制御領域サイズを復号化するための手段を更に含む［５４］の装置。 
［５６］制御領域のサイズの判定を容易にする方法において、 
第１の制御領域サイズを有する第１のキャリア及び第２の制御領域サイズを有する第２のキャリアを監視するように、ユーザ装置（ＵＥ）を設定することと、 
リバース・インターリーブされた変調シンボルのセットを受信することと、ここで、該リバース・インターリーブされた変調シンボルのセットは、最後のデータシンボルから始まり且つ最初の利用可能なデータシンボルで終わるようにマッピングされている、 
前記第１の制御領域サイズ及び前記第２の領域サイズを確認することを含み、 
前記確認することは、前記リバース・インターリーブされた変調シンボルのセットをデインターリーブすることを含む方法。 
［５７］前記確認することは、前記リバース・インターリーブされた変調シンボルのセットの初期シーケンスを削除することを含み、 
前記初期シーケンスは、前記最後のデータシンボルから始まる［５６］の方法。 
［５８］前記リバース・インターリーブされた変調シンボルは、物理ダウンリンク共有チャネルに関連する［５６］の方法。 
［５９］前記リバース・インターリーブされた変調シンボルは、最初に周波数、２番目に時間のインターリーブ・スキームに従って、マッピングされている［５６］の方法。 
［６０］制御領域のサイズを判定するように構成される装置において、該装置は、 
メモリに記憶されたコンピュータ実行可能なコンポーネントを実行するように構成されるプロセッサを含み、該コンポーネントは、 
第１の制御領域サイズを有する第１のキャリア及び第２の制御領域サイズを有する第２のキャリアを監視するように、ユーザ装置（ＵＥ）を初期化するように構成される設定コンポーネントと、 
リバース・インターリーブされた変調シンボルのセットを受信するように構成される通信コンポーネントと、ここで、該リバース・インターリーブされた変調シンボルのセットは、最後のデータシンボルから始まり且つ最初の利用可能なデータシンボルで終わるようにマッピングされている、 
前記リバース・インターリーブされた変調シンボルのセットをデインターリーブすることによって、前記第１の制御領域サイズ及び前記第２の領域サイズを復号化するように構成される復号化コンポーネントとを含む装置。 
［６１］前記復号化コンポーネントは、前記リバース・インターリーブされた変調シンボルのセットの初期シーケンスを削除するように構成され、 
前記初期シーケンスは、前記最後のデータシンボルから始まる［６０］の装置。 
［６２］前記リバース・インターリーブされた変調シンボルは、物理ダウンリンク共有チャネルに関連する［６０］の装置。 
［６３］前記リバース・インターリーブされた変調シンボルは、最初に周波数、２番目に時間のインターリーブ・スキームに従って、マッピングされている［６０］の装置。 
［６４］制御領域のサイズの判定を容易にするコンピュータ・プログラム製品において、 
少なくとも一つのコンピュータに、 
第１の制御領域サイズを有する第１のキャリア及び第２の制御領域サイズを有する第２のキャリアを監視するように、ユーザ装置（ＵＥ）を初期化させ、 
リバース・インターリーブされた変調シンボルのセットを受信させ、ここで、該リバース・インターリーブされた変調シンボルのセットは、最後のデータシンボルから始まり且つ最初の利用可能なデータシンボルで終わるようにマッピングされている、 
前記第１の制御領域サイズ及び前記第２の領域サイズを判定するために、前記リバース・インターリーブされた変調シンボルのセットをデインターリーブさせるためのコードを含むコンピュータ読み取り可能な記憶媒体を含むコンピュータ・プログラム製品。 
［６５］前記コードは、更に、前記少なくとも一つのコンピュータに、前記リバース・インターリーブされた変調シンボルのセットの初期シーケンスを削除させ、 
前記初期シーケンスは、前記最後のデータシンボルから始まる［６４］のコンピュータ・プログラム製品。 
［６６］制御領域のサイズの判定を容易にするように構成される装置において、 
第１の制御領域サイズを有する第１のキャリア及び第２の制御領域サイズを有する第２のキャリアを監視するように、ユーザ装置（ＵＥ）を設定するための手段と、 
リバース・インターリーブされた変調シンボルのセットを受信するための手段と、ここで、該リバース・インターリーブされた変調シンボルのセットは、最後のデータシンボルから始まり且つ最初の利用可能なデータシンボルで終わるようにマッピングされている、 
前記第１の制御領域サイズ及び前記第２の領域サイズを確認するために、前記リバース・インターリーブされた変調シンボルのセットをデインターリーブするための手段とを含む装置。 
［６７］前記リバース・インターリーブされた変調シンボルは、物理ダウンリンク共有チャネルに関連する［６６］の装置。 
［６８］前記リバース・インターリーブされた変調シンボルは、最初に周波数、２番目に時間のインターリーブ・スキームに従って、マッピングされている［６６］の装置。
【図１】
0005536199.tif 000002
【図２】
0005536199.tif 000003
【図３】
0005536199.tif 000004
【図４】
0005536199.tif 000005
【図５】
0005536199.tif 000006
【図６】
0005536199.tif 000007
【図７】
0005536199.tif 000008
【図８】
0005536199.tif 000009
【図９】
0005536199.tif 000010
【図１０】
0005536199.tif 000011
【図１１】
0005536199.tif 000012
【図１２】
0005536199.tif 000013
【図１３】
0005536199.tif 000014
【図１４】
0005536199.tif 000015
【図１５】
0005536199.tif 000016
【図１６】
0005536199.tif 000017